(57)【要約】  外科用器具は、ハンドルアセンブリと、グラフィカルユーザインターフェースと、一次回路と、第１の電源と、寿命ディスプレイと、二次回路と、を含む。グラフィカルユーザインターフェースは、ハンドルアセンブリ上に配置される。一次回路は、グラフィカルユーザインターフェースを駆動するように動作可能である。第１の電源は、電力をグラフィカルユーザインターフェースに提供するように構成される。寿命ディスプレイは、ハンドルアセンブリ上に配置され、かつ一次電源の電力レベルを表示するように動作可能である。二次回路は、寿命ディスプレイを駆動するように動作可能である。二次回路は、一次回路とは別体である。二次回路は、寿命ディスプレイを駆動するために、グラフィカルユーザインターフェースを駆動するために第１の電源によって必要とされる電力量よりも少ない電力を取り出すように構成される。
2020525130.tif 000002
【特許請求の範囲】
【請求項１】
外科用器具であって、
（ａ）遠位端部から近位端部まで延在するハンドルアセンブリと、
（ｂ）前記ハンドルアセンブリ上に配置されたグラフィカルユーザインターフェースと、
（ｃ）前記グラフィカルユーザインターフェースを駆動するように動作可能である一次回路と、
（ｄ）電力を前記グラフィカルユーザインターフェースに提供するように構成された第１の電源と、
（ｅ）前記ハンドルアセンブリ上に配置され、かつ前記一次電源の電力レベルを表示するように動作可能な寿命ディスプレイと、
（ｆ）前記寿命ディスプレイを駆動するように動作可能な二次回路であって、前記二次回路は、前記一次回路とは別体であり、前記二次回路は、前記寿命ディスプレイを駆動するために、前記グラフィカルユーザインターフェースを駆動するために前記第１の電源によって必要とされる電力量よりも少ない電力を取り出すように構成されている、二次回路と、を備える、外科用器具。
【請求項２】
前記ハンドルアセンブリは、筐体を含み、前記グラフィカルユーザインターフェースは、前記筐体内に配置されている、請求項１に記載の外科用器具。
【請求項３】
前記寿命ディスプレイは、前記筐体内に配置されている、請求項２に記載の外科用器具。
【請求項４】
電源筐体を更に備え、前記ハンドルアセンブリは、前記電源筐体をその中で選択的に受容するように構成されており、前記第１の電源は、前記電源筐体内に配置されており、前記寿命ディスプレイは、前記電源筐体に一体化されている、請求項２に記載の外科用器具。
【請求項５】
第２の電源を更に備え、前記第２の電源は、電力を前記寿命ディスプレイに提供するように構成されており、前記第２の電源は、前記電源筐体内に配置されている、請求項４に記載の外科用器具。
【請求項６】
前記寿命ディスプレイは、前記グラフィカルユーザインターフェースと一体化されている、請求項１に記載の外科用器具。
【請求項７】
前記グラフィカルユーザインターフェースは、前記寿命ディスプレイを、前記グラフィカルユーザインターフェース内のある位置にグラフィカルに示すように構成されている、請求項１に記載の外科用器具。
【請求項８】
前記位置は、前記グラフィカルユーザインターフェースを通してユーザによって構成可能である、請求項７に記載の外科用器具。
【請求項９】
制御回路を更に備え、前記制御回路は、第１の電源の寿命変数を維持するように構成されており、前記寿命ディスプレイは、前記第１の電源の寿命変数をグラフィカルに示すように構成されている、請求項１に記載の外科用器具。
【請求項１０】
前記ハンドルアセンブリは、前記第１の電源の寿命変数が閾値に到達した時点で、アクティブモードから廃棄モードに移行するように構成されている、請求項９に記載の外科用器具。
【請求項１１】
第２の電源を更に備え、前記第２の電源は、電力を前記寿命ディスプレイに提供するように構成されており、前記第２の電源は、充電式電池であり、前記第２の電源は、前記第１の電源によって再充電されるように構成されている、請求項１に記載の外科用器具。
【請求項１２】
可動ディスプレイを更に備え、前記グラフィカルユーザインターフェース及び前記寿命ディスプレイの一方又は両方は、前記可動ディスプレイ上に配置されている、請求項１に記載の外科用器具。
【請求項１３】
前記可動ディスプレイは、ジョイントを含み、前記可動ディスプレイは、前記ジョイントの第１の軸を中心に角度的に移動するように構成されている、請求項１２に記載の外科用器具。
【請求項１４】
前記可動ディスプレイは、前記ジョイントの第２の軸を中心に角度的に移動するように構成されている、請求項１３に記載の外科用器具。
【請求項１５】
第２の電源を更に備え、前記第２の電源は、電力を前記寿命ディスプレイに提供するように構成されており、前記第１の電源及び前記第２の電源の一方又は両方は、電池である、請求項１に記載の外科用器具。
【請求項１６】
外科用器具であって、
（ａ）遠位端部から近位端部まで延在するハンドルアセンブリと、
（ｂ）前記ハンドルアセンブリ上に配置された第１のディスプレイと、
（ｃ）電力を前記第１のディスプレイに提供するように構成された第１の電池と、
（ｄ）前記ハンドルアセンブリ上に配置された第２のディスプレイであって、前記第２のディスプレイは、電池寿命変数を示すように構成されており、前記電池寿命変数は、前記第１の電池の電力レベルに基づく、第２のディスプレイと、
（ｅ）電力を前記第２のディスプレイに提供するように構成された第２のディスプレイ電源と、を備える、外科用器具。
【請求項１７】
前記第２のディスプレイ及び第２のディスプレイ電源と接続された制御回路を更に備える、請求項１６に記載の外科用器具。
【請求項１８】
前記電池寿命変数は、前記制御回路によって維持される、請求項１７に記載の外科用器具。
【請求項１９】
第１のディスプレイ及び第２のディスプレイを有するハンドルアセンブリを使用する方法であって、
（ａ）第１の電源によって前記第１のディスプレイに給電することと、
（ｂ）第２の電源によって前記第２のディスプレイに給電することと、
（ｃ）寿命数を前記第１の電源に割り当てることと、
（ｄ）前記寿命数を前記第２のディスプレイ上に示すことと、を含む、方法。
【請求項２０】
（ａ）前記ハンドルアセンブリを発射することであって、前記発射することは、前記第１の電源によって給電される、発射することと、
（ｂ）前記ハンドルアセンブリを発射することに応答して、前記寿命数を減分することと、
（ｃ）前記寿命数を減分することに応答して、前記第２のディスプレイ上に示される前記寿命数を更新することと、を更に含む、請求項１９に記載の方法。
【発明の詳細な説明】
【背景技術】
【０００１】
切開創をより小さくすることで、術後の回復時間及び合併症を低減させ得ることから、一部の状況では、従来の開腹外科用デバイスよりも内視鏡外科用器具が好ましい場合がある。このため、内視鏡外科用器具の中には、トロカールのカニューレを通して所望の手術部位に遠位エンドエフェクタを配置するのに適したものがある。これらの遠位エンドエフェクタは、様々な形で組織と係合して診断又は治療効果を得ることができる（例えば、エンドカッター、把持具、カッター、ステープラ、クリップアプライヤ、アクセスデバイス、薬物／遺伝子治療送達デバイス、及び、超音波振動、ＲＦ、レーザなどを使用するエネルギー送達デバイスなど）。内視鏡外科用器具は、エンドエフェクタとハンドル部分との間に、臨床医によって操作されるシャフトを含み得る。このようなシャフトは、所望の深さへの挿入及びシャフトの長手方向軸を中心とした回転を可能にし、それにより患者の体内でエンドエフェクタの位置付けを行うことを容易にする。エンドエフェクタの位置付けは、エンドエフェクタをシャフトの長手方向軸に対して選択的に関節動作させるか又は別様に偏向させることを可能にする、１つ又は２つ以上の関節ジョイント又は機構を含めることによって更に容易にすることができる。
【０００２】
内視鏡外科用器具の例として、外科用ステープラが挙げられる。このようなステープラのいくつかは、組織層をクランプし、クランプされた組織層を切断し、組織層を通してステープルを打ち込むことによって、組織層の切断された端部の近くで、切断された組織層同士を互いに実質的にシールするように動作可能である。単なる例示的な外科用ステープラは、２００６年２月２１日に発行された、米国特許第７，０００，８１８号、名称「Ｓｕｒｇｉｃａｌ  Ｓｔａｐｌｉｎｇ  Ｉｎｓｔｒｕｍｅｎｔ  Ｈａｖｉｎｇ  Ｓｅｐａｒａｔｅ  Ｄｉｓｔｉｎｃｔ  Ｃｌｏｓｉｎｇ  ａｎｄ  Ｆｉｒｉｎｇ  Ｓｙｓｔｅｍｓ」、２００８年６月３日に発行された、米国特許第７，３８０，６９６号、名称「Ａｒｔｉｃｕｌａｔｉｎｇ  Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｔｗｏ−Ｐｉｅｃｅ  Ｅ−Ｂｅａｍ  Ｆｉｒｉｎｇ  Ｍｅｃｈａｎｉｓｍ」、２００８年７月２９日に発行された、米国特許第７，４０４，５０８号、名称「Ｓｕｒｇｉｃａｌ  Ｓｔａｐｌｉｎｇ  ａｎｄ  Ｃｕｔｔｉｎｇ  Ｄｅｖｉｃｅ」、２００８年１０月１４日に発行された、米国特許第７，４３４，７１５号、名称「Ｓｕｒｇｉｃａｌ  Ｓｔａｐｌｉｎｇ  Ｉｎｓｔｒｕｍｅｎｔ  Ｈａｖｉｎｇ  Ｍｕｌｔｉｓｔｒｏｋｅ  Ｆｉｒｉｎｇ  ｗｉｔｈ  Ｏｐｅｎｉｎｇ  Ｌｏｃｋｏｕｔ」、２０１０年５月２５日に発行された、米国特許第７，７２１，９３０号、名称「Ｄｉｓｐｏｓａｂｌｅ  Ｃａｒｔｒｉｄｇｅ  ｗｉｔｈ  Ａｄｈｅｓｉｖｅ  ｆｏｒ  Ｕｓｅ  ｗｉｔｈ  ａ  Ｓｔａｐｌｉｎｇ  Ｄｅｖｉｃｅ」、２０１３年４月２日に発行された、米国特許第８，４０８，４３９号、名称「Ｓｕｒｇｉｃａｌ  Ｓｔａｐｌｉｎｇ  Ｉｎｓｔｒｕｍｅｎｔ  ｗｉｔｈ  Ａｎ  Ａｒｔｉｃｕｌａｔａｂｌｅ  Ｅｎｄ  Ｅｆｆｅｃｔｏｒ」、及び２０１３年６月４日に発行された、米国特許第８，４５３，９１４号、名称「Ｍｏｔｏｒ−Ｄｒｉｖｅｎ  Ｓｕｒｇｉｃａｌ  Ｃｕｔｔｉｎｇ  Ｉｎｓｔｒｕｍｅｎｔ  ｗｉｔｈ  Ｅｌｅｃｔｒｉｃ  Ａｃｔｕａｔｏｒ  Ｄｉｒｅｃｔｉｏｎａｌ  Ｃｏｎｔｒｏｌ  Ａｓｓｅｍｂｌｙ」、に開示されている。上に引用した米国特許の各々の開示内容は、参照により本明細書に組み込まれる。
【０００３】
上述した外科用ステープラは、内視鏡手術において使用されるものとして記載されているが、このような外科用ステープラは、開口手術及び／又は他の非内視鏡手術でも使用することができることを理解されたい。単なる例として、トロカールをステープラの導管として使用しない胸部外科手術では、外科用ステープラを開胸術によって患者の肋骨の間に挿入し、１つ又は２つ以上の臓器に到達させることができる。このような手術では、肺につながる血管を切断及び閉鎖するためにステープラが使用される場合もある。例えば、臓器につながる血管を、胸腔から臓器を切除する前にステープラによって切断して閉鎖することができる。当然のことながら、外科用ステープラは、様々な他の状況及び手術において使用され得る。
【０００４】
開胸術に特に好適であり得る又は使用され得る外科用ステープラの例は、２０１４年８月２８日に公開された米国特許出願公開第２０１４／０２４３８０１号、名称「Ｓｕｒｇｉｃａｌ  Ｉｎｓｔｒｕｍｅｎｔ  Ｅｎｄ  Ｅｆｆｅｃｔｏｒ  Ａｒｔｉｃｕｌａｔｉｏｎ  Ｄｒｉｖｅ  ｗｉｔｈ  Ｐｉｎｉｏｎ  ａｎｄ  Ｏｐｐｏｓｉｎｇ  Ｒａｃｋｓ」、２０１４年８月２８日に公開された米国特許出願公開第２０１４／０２３９０４１号、名称「Ｌｏｃｋｏｕｔ  Ｆｅａｔｕｒｅ  ｆｏｒ  Ｍｏｖａｂｌｅ  Ｃｕｔｔｉｎｇ  Ｍｅｍｂｅｒ  ｏｆ  Ｓｕｒｇｉｃａｌ  Ｉｎｓｔｒｕｍｅｎｔ」、２０１４年８月２８日に公開された米国特許出願公開第２０１４／０２３９０３８号、名称「Ｓｕｒｇｉｃａｌ  Ｉｎｓｔｒｕｍｅｎｔ  ｗｉｔｈ  Ｍｕｌｔｉ−Ｄｉａｍｅｔｅｒ  Ｓｈａｆｔ」、及び２０１４年８月２８日に公開された米国特許出願公開第２０１４／０２３９０４４号、名称「Ｉｎｓｔａｌｌａｔｉｏｎ  Ｆｅａｔｕｒｅｓ  ｆｏｒ  Ｓｕｒｇｉｃａｌ  Ｉｎｓｔｒｕｍｅｎｔ  Ｅｎｄ  Ｅｆｆｅｃｔｏｒ  Ｃａｒｔｒｉｄｇｅ」に開示されている。上に引用した米国特許出願公開の各々の開示内容は、参照により本明細書に組み込まれる。
【０００５】
いくつかの外科用器具及びシステムが作製され使用されてきたが、本発明者らよりも以前に、添付の特許請求の範囲に記載する本発明を作製又は使用した者は存在しない、と考えられている。
【図面の簡単な説明】
【０００６】
本明細書は、本技術を具体的に指摘し、かつ明確にこの技術を特許請求する、特許請求の範囲により完結するが、本技術は、以下のある特定の実施例の説明を添付図面と併せ読むことでよりよく理解されるものと考えられ、図面において同様の参照符号は同じ要素を特定する。
【図１】交換式シャフトアセンブリ及びハンドルアセンブリを含む例示的な外科用器具の斜視図である。
【図２】器具のハンドルアセンブリから分解されたシャフトアセンブリを示す、図１の器具の斜視図である。
【図３】器具のハンドルアセンブリから分解されたシャフトアセンブリを示す、図１の器具の部分斜視図である。
【図４Ａ】閉鎖トリガが第１の枢動位置にあり、かつ発射トリガが第１の枢動位置にある、図１の器具の近位部分の側面図である。
【図４Ｂ】閉鎖トリガが第２の枢動位置にあり、かつ発射トリガが第２の枢動位置にある、図１の器具の近位部分の側面図である。
【図４Ｃ】閉鎖トリガが第２の枢動位置にあり、かつ発射トリガが第３の枢動位置にある、図１の器具の近位部分の側面図である。
【図５】ハンドルアセンブリから電池を取り外した、図１の器具の近位部分の斜視図である。
【図６】図１の器具と共に使用することができる代替的な数々のシャフトアセンブリの側面図である。
【図７】例示的な電池寿命ディスプレイがハンドルアセンブリの筐体内に配置された、図１の器具のハンドルアセンブリの変形形態の部分斜視図である。
【図８】例示的な代替の電池をハンドルアセンブリから取り外し、電池寿命ディスプレイを電池に配置した、図１の器具の近位部分の斜視図である。
【図９】例示的な電池寿命ディスプレイを例示的な代替のグラフィカルユーザインターフェースと一体化した、図１の器具のハンドルアセンブリの別の変形形態の部分斜視図である。
【図１０】図９の電池寿命ディスプレイ及びグラフィカルユーザインターフェースの拡大立面図である。
【図１１】図１の器具と共に使用することができる例示的な電池寿命ディスプレイ、グラフィカルユーザインターフェース、例示的な電源、及び例示的な制御回路の概略図である。
【図１２】図１の器具のデバイス寿命情報を提供するための例示的な方法のフローチャートである。
【図１３Ａ】図１の器具のデバイス寿命情報を表す際に使用するための例示的な寿命メータースタイルのディスプレイの概略図である。
【図１３Ｂ】図１の器具のデバイス寿命情報を表す際に使用するための例示的なスライダスタイルのディスプレイの概略図である。
【図１３Ｃ】図１の器具のデバイス寿命情報を表す際に使用するための例示的なゲージスタイルのディスプレイの概略図である。
【図１４】図１の器具の例示的なモード間を移行するための例示的な方法のフローチャートである。
【図１５Ａ】例示的な可動ディスプレイが第１の位置にある、図１の器具の変形形態の近位部分の側面図である。
【図１５Ｂ】可動ディスプレイが第１の位置にある、図１５Ａの器具の近位部分の斜視図である。
【図１５Ｃ】可動ディスプレイが第２の位置にある、図１５Ａの器具の近位部分の側面図である。
【図１５Ｄ】可動ディスプレイが第３の位置にある、図１５Ａの器具の近位部分の側面図である。
【図１５Ｅ】可動ディスプレイが第４の位置にある、図１５Ａの器具の近位部分の側面図である。
【図１５Ｆ】可動ディスプレイが第５の位置にある、図１５Ａの器具の近位部分の側面図である。
【図１５Ｇ】可動ディスプレイが第６の位置にある、図１５Ａの器具の近位部分の側面図である。
【図１６Ａ】別の例示的な可動ディスプレイが第１の位置にある、図１の器具の別の変形形態の近位部分の斜視図である。
【図１６Ｂ】可動ディスプレイが第２の位置にある、図１６Ａの器具の斜視図である。
【図１７Ａ】別の例示的な可動ディスプレイが第１の位置から第２の位置へ移動する、図１の器具の別の変形形態の近位部分の斜視図である。
【図１７Ｂ】可動ディスプレイが第１の位置から第２の位置へ移動する、図１７Ａの器具の側面図である。
【図１８】別の例示的な可動ディスプレイが第１の位置と、第２の位置と、第３の位置との間で移動する、図１の器具の別の変形形態の近位部分の側面図である。
【図１９Ａ】可動ディスプレイが第１の位置にある、図１８の器具の近位部分の斜視図である。
【図１９Ｂ】可動ディスプレイが第２の位置にある、図１８の器具の近位部分の斜視図である。
【図１９Ｃ】可動ディスプレイが第３の位置にある、図１８の器具の近位部分の斜視図である。
【図２０Ａ】別の例示的な可動ディスプレイが第１の位置と、第２の位置と、第３の位置との間で移動し、例示的なボタンロックが第１の位置、第２の位置、及び第３の位置と整列した、図１の器具の別の変形形態の近位部分の側面図である。
【図２０Ｂ】可動ディスプレイをボタンロックの１つによって第３の位置にロックした、図２０Ａの器具の背面図である。
【図２１】別の例示的な可動ディスプレイが第１の位置と、第２の位置と、第３の位置との間で移動し、例示的な磁気ロックが第１の位置、第２の位置、及び第３の位置と整列した、図１の器具の別の変形形態の近位部分の側面図である。
【０００７】
図面は、いかなる方式でも限定することを意図しておらず、本技術の様々な実施形態は、図面に必ずしも描写されていないものを含め、その他の様々な方式で実施し得ることが企図される。本明細書に組み込まれ、本明細書の一部をなす添付図面は、本技術のいくつかの態様を例示しており、その説明と共に本技術の原理を説明するものであるが、本技術は、示される厳密な構成に限定されないことが理解される。
【発明を実施するための形態】
【０００８】
本技術の特定の実施例の以下の説明文は、その範囲を限定する目的で用いられるべきではない。本技術の他の実施例、特徴、態様、実施形態、及び利点は、実例として、本技術を実施する上で想到される最良の態様の１つである以下の説明により、当業者には明らかとなるであろう。理解されるように、本明細書に記載される技術は、いずれもその技術から逸脱することなく、その他の異なる、かつ明らかな態様が可能である。したがって、図面及び説明は、限定的な性質のものではなく、例示的な性質のものと見なされるべきである。
【０００９】
本明細書に記載される教示、表現、実施形態、実施例などの任意の１つ又は２つ以上のものを、本明細書に記載される他の教示、表現、実施形態、実施例などの任意の１つ又は２つ以上のものと組み合わせることができる点も、更に理解されよう。したがって、以下に記載される教示、表現、実施形態、実施例などは、互いに対して切り離して考慮されるべきではない。本明細書の教示を考慮することで、本明細書の教示を組み合わせることができる様々な好適な方法が、当業者には容易に明らかとなろう。このような改変及び変形形態は、「特許請求の範囲」の範囲内に含まれるものとする。
【００１０】
本開示の明瞭さのために、「近位」及び「遠位」という用語は、遠位外科用エンドエフェクタを有する外科用器具を把持する操作者又は他の操作者に対して本明細書で定義される。用語「近位」とは、操作者又はその他の操作者により近い要素の位置を意味し、用語「遠位」とは、外科用器具の外科用エンドエフェクタにより近く、かつ操作者又はその他の操作者からより離れた要素の位置を意味する。本明細書に記載される外科用器具は、切断及びステープル留めのためのモータ付き用具を含むが、本明細書に記載される構成は、例えば、カッター、把持具、ステープラ、ＲＦカッター／凝固器、超音波カッター／凝固器、及びレーザーカッター／凝固器などの、任意の好適な種類の電気外科用器具と共に使用され得ることが理解される。
【００１１】
Ｉ．例示的な外科用器具の概要
図１は、ハンドルアセンブリ（１１）及び取り外し可能なシャフトアセンブリ（１６）を含む、モータ駆動外科用切断及び締結器具（１０）を示す。いくつかの変形例では、ハンドルアセンブリ（１１）及びシャフトアセンブリ（１６）は、それぞれ、単回使用の使い捨て構成要素が提供される。いくつかの他の変形例では、ハンドルアセンブリ（１１）及びシャフトアセンブリ（１６）は、それぞれ、再使用可能な構成要素として提供される。別の単なる例示的な実施例として、シャフトアセンブリ（１６）は、１回使用の使い捨て構成要素として提供することができ、一方で、ハンドルアセンブリは、再使用可能な構成要素として提供される。本明細書の教示を考慮することで、再使用のために好適に再処理することができるハンドルアセンブリ（１１）及びシャフトアセンブリ（１６）の再使用可能な変形例が当業者に明らかになるであろう。
【００１２】
本実施例のハンドルアセンブリ（１１）は、筐体（１２）と、閉鎖トリガ（３２）と、発射トリガ（３３）と、を含む。筐体（１２）の少なくとも一部分は、臨床医が把持し、操作し、作動させるように構成されたハンドル（１４）を形成する。筐体（１２）は、シャフトアセンブリ（１６）に動作可能に取り付けるように構成され、このシャフトアセンブリには、外科用エンドエフェクタ（１８）が動作可能に連結される。下で説明するように、エンドエフェクタ（１８）は、１つ又は２つ以上の外科用タスク又は手術を実行するように構成される。具体的には、図１に示される例のエンドエフェクタ（１８）は、従来のエンドカッターのエンドエフェクタに類似する様態で、外科用切断及びステープル留め手術を行うように動作可能であるが、これは、単なる１つの例示的な実施例にすぎないことを理解されたい。
【００１３】
図１は、交換式シャフトアセンブリ（１６）がハンドルアセンブリ（１１）に動作可能に連結された、外科用器具（１０）を示す。図２、図３は、ハンドル（１４）の筐体（１２）への交換式シャフトアセンブリ（１６）の取り付けを示す。ハンドル（１４）は、ねじ、スナップ機構、接着剤などで相互接続することができる一対の相互接続可能なハンドルハウジングセグメント（２２、２４）を含む。例示される構成では、ハンドルハウジングセグメント（２２、２４）は、臨床医が把持及び操作することができるピストルグリップ部分（２６）を形成するように協働する。以下で更に詳細に考察されるように、ハンドル（１４）は、その中に複数の駆動システムを動作可能に支持し、それら駆動システムは、それに動作可能に取り付けられた交換式シャフトアセンブリ（１６）の対応する部分に対して、様々な制御運動を生成及び適用するように構成されている。下で更に詳細に論じるように、トリガ（３２、３３）は、ハンドル（１４）の駆動システムの少なくともいくつかを起動させるように、ピストルグリップ部分（２６）に向かって枢動可能である。
【００１４】
ハンドルアセンブリ（１１）内の駆動システムの少なくともいくつかは、最終的に、概略的に図５に示されるモータ（１１８）によって駆動される。本実施例では、モータ（１１８）は、ピストルグリップ部分（２６）において位置付けられるが、モータ（１１８）は、任意の他の好適な位置に位置付けられ得ることを理解されたい。モータ（１１８）は、ハンドル（１４）に固定された電池パック（１１０）から電力を受信する。本実施例では、図５に示されるように、電池パック（１１０）は、ハンドル（１４）から取り外し可能である。いくつかの他の変形例において、電池パック（１１０）は、ハンドル（１４）から取り外し可能でない。いくつかのこのような変形例において、電池パック（１１０）（又はその変形形態）は、ハンドルハウジングセグメント（２２、２４）内に完全に収容さる。モータ（１１８）及び電池パック（１１０）が取り得る様々な好適な形態は、本明細書の教示を考慮することで当業者に明らかになるであろう。
【００１５】
図５にも概略的に示されるように、制御回路（１１７）は、ハンドル（１４）内に収容される。単なる例として、制御回路（１１７）は、本明細書の教示を考慮することで当業者に明らかになるであろうように、マイクロコントローラ及び／又は様々な他の構成要素を備えることができる。制御回路（１１７）は、制御アルゴリズムを駆動モータ（１１８）に記憶し、実行するように構成される。制御回路（１１７）はまた、ハンドルアセンブリ（１１）の近位端部に位置付けられたグラフィカルユーザインターフェース（１１６）を駆動するようにも構成される。いくつかの変形例において、制御回路（１１７）は、シャフトアセンブリ（１６）から１つ又は２つ以上の信号を受信し、処理するように構成される。単なる例として、制御回路（１１７）は、その開示内容が参照により本明細書に組み込まれる、２０１５年１０月１日に公開された、米国特許出願公開第２０１５／０２７２５７５号、名称「Ｓｕｒｇｉｃａｌ  Ｉｎｓｔｒｕｍｅｎｔ  Ｃｏｍｐｒｉｓｉｎｇ  ａ  Ｓｅｎｓｏｒ  Ｓｙｓｔｅｍ」の教示の少なくとも一部に従って、構成され、動作可能であり得る。制御回路（１１７）が構成され、動作可能であり得る他の好適な方法は、本明細書の教示を考慮することで当業者に明らかになるであろう。
【００１６】
図３で最もよく分かるように、ハンドル（１４）のフレーム（２８）は、複数の駆動システムを動作可能に支持する。この特定の例では、フレーム（２８）は、全体として、（３０）に指定される「第１の」又は閉鎖駆動システムを動作可能に支持し、この閉鎖駆動システムは、そこに動作可能に取り付けられた、又は連結された交換式シャフトアセンブリ（１６）に閉鎖運動及び開放運動を適用するために用いることができる。また、この特定の例では、閉鎖駆動システム（３０）は、フレーム（２８）によって枢動可能に支持された閉鎖トリガ（３２）の形態のアクチュエータを含む。より具体的には、閉鎖トリガ（３２）は、ピン（図示せず）によって筐体（１４）に枢動可能に連結される。このような構成は、閉鎖トリガ（３２）が臨床医によって操作されることを可能にし、よって、臨床医がハンドル（１４）のピストルグリップ部分（２６）を把持したとき、閉鎖トリガ（３２）を、開始位置又は「非作動」位置（図４Ａ）からピストルグリップ部分（２６）に向かって「作動」位置へと、より具体的には完全圧縮位置又は完全作動位置（図４Ｂ）へと容易に枢動させることができる。閉鎖トリガ（３２）は、ばね又は他の付勢構成（図示せず）によって非作動位置へと付勢されてもよい。
【００１７】
本実施例では、閉鎖駆動システム（３０）は、閉鎖トリガ（３２）に枢動可能に連結された閉鎖リンク機構アセンブリ（３６）を更に含む。閉鎖リンク機構アセンブリ（３６）の一部分を図３に示す。閉鎖リンク機構アセンブリ（３６）は、ピン（図示せず）によって閉鎖トリガ（３２）に枢動可能に連結された第１の閉鎖リンク（図示せず）と、第２の閉鎖リンク（３８）と、を含むことができる。第２の閉鎖リンク（３８）はまた、本明細書において、「取り付け部材」とも称され得、横方向取り付けピン（４２）を含む。図３に示されるように、取り付けピン（４２）は、シャフトアセンブリ（１６）がハンドルアセンブリ（１１）から取り外されたときに露出する。したがって、下で更に詳細に説明するように、取り付けピン（４２）は、シャフトアセンブリ（１６）がハンドルアセンブリ（１１）に連結されたときに、シャフトアセンブリ（１６）の相補的な機構と連結することができる。
【００１８】
更に図１〜図３を参照すると、第１の閉鎖リンク（図示せず）は、フレーム（２８）に枢動可能に連結された閉鎖解放アセンブリ（４４）と協働するように構成されている。少なくとも１つの例において、閉鎖解放アセンブリ（４４）は、解放ボタンアセンブリ（４６）を有し、遠位に突出するロッキングポール（図示せず）がその上に形成される。解放ボタンアセンブリ（４６）は、解放ばね（図示せず）によって反時計回りの方向に枢動し得る。臨床医が閉鎖トリガ（３２）をその非作動位置からハンドル（１４）のピストルグリップ部分（２６）に向かって押下すると、第１の閉鎖リンク（図示せず）は、ロッキングポール（図示せず）が第１の閉鎖リンク（図示せず）と保持係合する点に向かって上向きに枢動し、それにより、閉鎖トリガ（３２）が非作動位置に戻ることを防ぐ。したがって、閉鎖解放アセンブリ（４４）は、閉鎖トリガ（３２）を完全作動位置でロックする働きをする。
【００１９】
臨床医が閉鎖トリガ（３２）を作動位置からロック解除して非作動位置に戻したいとき、臨床医は、単純に、閉鎖解放ボタンアセンブリ（４６）を遠位に付勢することによって、閉鎖解放ボタンアセンブリ（４６）を枢動させ、よって、ロッキングポール（図示せず）が第１の閉鎖リンク（図示せず）との係合から外れるように移動する。ロッキングポール（図示せず）が第１の閉鎖リンク（図示せず）との係合から外れるように移動するときに、弾性付勢が閉鎖トリガ（３２）を非作動位置に戻すように付勢することに応答して、閉鎖トリガ（３２）を非作動位置に戻すことができる。他の閉鎖トリガロック及び解放構成が用いられてもよい。
【００２０】
交換式シャフトアセンブリ（１６）は、シャフトアセンブリ（１６）の長手方向軸に対して所望の位置にエンドエフェクタ（１８）を解放可能に保持するように構成され得る、関節ジョイント（５２）と関節ロック（図示せず）とを更に含む。本実施例では、関節ジョイント（５２）は、当該技術分野で既知であるように、エンドエフェクタ（１８）をシャフトアセンブリ（１６）の長手方向軸から離れて横方向に偏向させることを可能にするように構成される。単なる例として、エンドエフェクタ（１８）、関節ジョイント（５２）、及び関節ロック（図示せず）は、２０１４年９月１８日に公開された、米国特許出願公開第２０１４／０２６３５４１号、名称「Ａｒｔｉｃｕｌａｔａｂｌｅ  Ｓｕｒｇｉｃａｌ  Ｉｎｓｔｒｕｍｅｎｔ  Ｃｏｍｐｒｉｓｉｎｇ  ａｎ  Ａｒｔｉｃｕｌａｔｉｏｎ  Ｌｏｃｋ」の教示の少なくとも一部に従って、構成され、動作可能であり得る。
【００２１】
本実施例では、関節ジョイント（５２）の関節は、ハンドルアセンブリ（１１）上の関節コントロールロッカー（１１２）を介した操作者からの制御入力に基づいて、モータ（１１８）を介してモータ駆動される。単なる例として、操作者が関節制御ロッカー（１１２）の上部分を押下したとき、エンドエフェクタ（１８）は、関節ジョイント（５２）において（器具（１０）を上から見て）右へと横方向に枢動することができ、操作者が関節制御ロッカー（１１２）の下部分を押下したとき、エンドエフェクタ（１８）は、関節ジョイント（５２）において（器具（１０）を上から見て）左へと横方向に枢動することができる。いくつかの変形例において、ハンドルアセンブリ（１１）の他方の側部は、別の関節制御ロッカー（１１２）を含む。このような変形例において、ハンドルアセンブリ（１１）の他方の側部上の関節制御ロッカー（１１２）は、関節制御ロッカー（１１２）の上への作動及び関節制御ロッカー（１１２）の下への作動に応答して、エンドエフェクタ（１８）の上記の方向とは反対方向への枢動を提供するように構成することができる。単なる例として、関節ジョイント（５２）においてエンドエフェクタ（１８）の関節のモータ駆動を提供する関節制御ロッカー（１１２）及び残りの機構は、その開示内容が参照により本明細書に組み込まれる、２０１５年１０月１日に公開された、米国特許出願公開第２０１５／０２８０３８４号、名称「Ｓｕｒｇｉｃａｌ  Ｉｎｓｔｒｕｍｅｎｔ  Ｃｏｍｐｒｉｓｉｎｇ  ａ  Ｒｏｔａｔａｂｌｅ  Ｓｈａｆｔ」の教示の少なくとも一部に従って、構成され、動作可能であり得る。関節ジョイント（５２）においてエンドエフェクタ（１８）の関節のモータ駆動を提供する関節制御ロッカー（１１２）及び残りの機構が構成され、動作可能であり得る他の適切な方法は、本明細書の教示を考慮することで当業者に明らかになるであろう。
【００２２】
本実施例のエンドエフェクタ（１８）は、ステープルカートリッジ（２０）をその中で動作可能に支持するように構成された、細長いチャネル（４８）の形態の下側ジョーを備える。本実施例のエンドエフェクタ（１８）は、細長いチャネル（４８）に対して枢動可能に支持された、安アンビル（５０）の形態の上側ジョーを更に含む。交換式シャフトアセンブリ（１６）は、ノズル部分（５６、５８）から成る近位筐体又はノズル（５４）と、エンドエフェクタ（１８）の閉鎖及び／又は開放アンビル（５０）に利用することができる閉鎖管（６０）と、を更に含む。シャフトアセンブリ（１６）はまた、閉鎖シャトル（６２）をシャーシ（６４）に対して軸方向に移動させることができるように、シャフトアセンブリ（１６）のシャーシ（６４）内で摺動可能に支持された閉鎖シャトル（６２）も含む。閉鎖シャトル（６２）は、第２の閉鎖リンク（３８）に取り付けられた取り付けピン（４２）への取り付けのために構成されている、近位に突出する一対のフック（６６）を含む。閉鎖管（６０）の近位端部（図示せず）は、それに対する相対的回転のために閉鎖シャトル（６２）に連結されるが、閉鎖管（６０）と閉鎖シャトル（６２）との組み合わせは、閉鎖管（６０）及び閉鎖シャトル（６２）の互いの長手方向への移動を提供する。閉鎖ばね（図示せず）が閉鎖管（６０）上に軸支され、閉鎖管（６０）を近位方向（ＰＤ）に付勢する働きをし、それによって、シャフトアセンブリ（１６）がハンドル（１４）に動作可能に連結されたとき、閉鎖トリガ（３２）を非作動位置へと枢動させる働きをし得る。
【００２３】
本実施例では、関節ジョイント（５２）は、二重枢軸閉鎖スリーブアセンブリ（７０）を含む。二重枢軸閉鎖スリーブアセンブリ（７０）は、その開示内容が参照により本明細書に組み込まれる。米国特許出願公開第２０１４／０２６３５４１に開示される様々な様態で開口タブをアンビル（５０）に係合するための、エンドエフェクタ閉鎖スリーブアセンブリ（７２）を含む。関節ジョイント（５２）が関節動作状態であるとき（すなわち、エンドエフェクタ（１８）が、関節ジョイント（５２）においてシャフトアセンブリ（１６）の長手方向軸から横方向に離れて枢動可能に偏向するとき）であっても、閉鎖トリガ（３２）の枢動に応答して、二重枢軸閉鎖スリーブアセンブリ（７０）が閉鎖管（６０）と共に移動するように、二重枢軸閉鎖スリーブアセンブリ（７０）が、閉鎖管（６０）と連結されることを理解されたい。更に、エンドエフェクタ閉鎖スリーブアセンブリ（７２）とアンビル（５０）との係合は、二重枢軸閉鎖スリーブアセンブリ（７０）及び閉鎖管（６０）の遠位移動に応答した、アンビル（５０）のステープルカートリッジ（２０）に向かう枢動、及び二重枢軸閉鎖スリーブアセンブリ（７０）及び閉鎖管（６０）の近位移動に応答した、ステープルカートリッジ（２０）から離れるアンビル（５０）の枢動を提供する。本例のシャフトアセンブリ（１６）は関節ジョイント（５２）を含むが、他の交換式シャフトアセンブリは、関節動作能力を欠いていてもよい。
【００２４】
図３に示されるように、シャーシ（６４）は、フレーム（２８）の遠位取り付けフランジ部分（７８）内に形成された、対応するダブテールスロット（７６）内に受容されるように適合された、シャーシ上に形成された一対の先細取り付け部分（７４）を含む。各ダブテールスロット（７６）は、取り付け部分（７４）を中に着座的に受容するように、先細であってもよく、又は略Ｖ字形であってもよい。シャフト取り付けラグ（８０）が、中間発射シャフト（８２）の近位端上に形成される。したがって、交換式シャフトアセンブリ（１６）がハンドル（１４）に連結されたとき、シャフト取り付けラグ（８０）は、長手方向駆動部材（８６）の遠位端部に形成された発射シャフト取り付けクレードル（８４）内に受容される。シャフト取り付けラグ（８０）が発射シャフト取り付けクレードル（８４）内に受容されたとき、中間発射シャフト（８２）は、長手方向駆動部材（８６）と共に長手方向に移動する。当該技術分野で知られているように、中間発射シャフト（８２）が遠位に移動するとき、中間発射シャフト（８２）がエンドエフェクタ（１８）を作動させて、ステープルを組織に打ち込み、組織を切断する。単なる例として、エンドエフェクタ（１８）のこの作動は、その開示内容が参照により本明細書に組み込まれる、米国特許出願公開第２０１５／０２８０３８４号に従って、及び／又は本明細書に引用される様々な他の参考文献の教示に従って実行することができる。
【００２５】
図４Ａ〜図４Ｃは、エンドエフェクタ（１８）の異なる作動状態の間のハンドルアセンブリ（１１）の異なる状態を示す。図４Ａでは、ハンドルアセンブリ（１１）は、閉鎖トリガ（３２）が非作動枢動位置にあり、かつ発射トリガ（３３）が非作動枢動位置にある状態である。この段階で、エンドエフェクタ（１８）は、アンビル（５０）がステープルカートリッジ（２０）から離れて枢動される、開放状態にある。
【００２６】
図４Ｂでは、ハンドルアセンブリ（１１）は、閉鎖トリガ（３２）が作動枢動位置にある状態である。上で述べたように、閉鎖トリガ（３２）は、操作者が解放ボタンアセンブリ（４６）を作動させるまでこの位置にロックされる。この段階で、エンドエフェクタは、アンビル（５０）がステープルカートリッジ（２０）に向かって枢動される、閉鎖状態にあるが未発射状態であり、よって、組織は、アンビル（５０）とカートリッジ（２０）との間で圧縮されている。しかしながら、発射シャフト（８２）は、まだステープルカートリッジ（２０）からステープルを作動させるために遠位に駆動されておらず、発射シャフト（８２）の遠位端部のナイフは、アンビル（２０）とステープルカートリッジ（２０）との間で組織をまだ切断していない。発射トリガ（３３）は、非作動枢動位置から作動枢動位置への閉鎖トリガ（３２）の移動のため、図４Ｂの部分的に作動した枢動位置にあることに留意されたい。しかしながら、発射トリガ（３３）のこの移動は、操作者の発射トリガ（３３）へのアクセスを向上させるためにのみ提供される。換言すれば、図４Ａに示される位置から図４Ｂに示される位置への発射トリガ（３３）のこの移動は、発射シーケンスをまだ起動させない。
【００２７】
図４Ｃでは、ハンドルアセンブリは、閉鎖トリガ（３２）が作動枢動位置のままであり、かつ発射トリガ（３３）が作動枢動位置に枢動された状態にある。発射トリガ（３３）のこの作動は、モータ（１１８）を起動させて、長手方向駆動部材（８６）を長手方向に駆動し、次に、発射シャフト（８２）を長手方向に駆動する。発射シャフト（８２）の長手方向の移動は、アンビル（５０）とステープルカートリッジ（２０）との間で圧縮された組織の中への、ステープルカートリッジ（２０）からのステープルの作動をもたらし、更に、アンビル（５０）とステープルカートリッジ（２０）の間で圧縮された組織の切断をもたらす。いくつかの変形例では、追加の安全トリガが提供される。例えば、追加の安全トリガは、安全トリガが作動するまで、発射トリガ（３３）の作動を防ぐことができる。換言すれば、図４Ｂに示される状態に到達した後に、操作者が発射トリガ（３３）を作動させる準備をしたとき、操作者は、最初に安全トリガを作動させ、次いで、発射トリガ（３３）を作動させなければならない。安全トリガの存在が、発射トリガ（３３）の不用意な作動を防ぎ得ることを理解されたい。
【００２８】
また、本実施例では、ステープルカートリッジ（２０）に向かうアンビル（５０）の作動は、単に機械的連結を通して閉鎖トリガ（３２）とアンビル（５０）との間に提供され、よって、アンビル（５０）を作動させるためにモータ（１１８）を使用しないことも理解されたい。また、本実施例では、発射シャフト（８２）の作動（したがって、ステープルカートリッジ（２０）の作動）が、モータ（１１８）の起動を通して提供されることも理解されたい。加えて、関節ジョイント（５２）の作動は、本実施例のモータ（１１８）の起動を通して提供される。関節ジョイント（５２）のこのモータ駆動の作動は、駆動部材（８６）の長手方向の移動を介して提供される。シャフトアセンブリ（１６）内のクラッチアセンブリ（図示せず）は、駆動部材（８６）の長手方向の移動と、関節ジョイント（５２）を駆動するか又はステープルカートリッジ（２０）を作動させるための機構とを選択的に連結するように動作可能である。このようなクラッチアセンブリを介した選択的な連結は、閉鎖トリガ（３２）の枢動位置に基づく。具体的には、閉鎖トリガ（３２）が図４Ａに示される非作動位置にあるとき、（関節制御ロッカー（１１２）の起動に応答した）モータ（１１８）の起動が関節ジョイント（５２）を駆動する。閉鎖トリガ（３２）が図４Ｂに示される作動位置にあるとき、（発射トリガ（３３）の作動に応答した）モータ（１１８）の起動がステープルカートリッジ（２０）を作動させる。単なる例として、クラッチアセンブリは、その開示内容が参照により本明細書に組み込まれる、米国特許出願公開第２０１５／０２８０３８４号の教示の少なくともいくつかに従って、構成され、動作可能であり得る。
【００２９】
本実施例では、ハンドルアセンブリ（１１）はまた、「ホーム」ボタン（１１４）も含む。単なる例として、アンビル（５０）が閉鎖位置にあるとき、「ホーム」ボタン（１１４）は、モータ（１１８）を起動させて、駆動部材（８６）を最近位の「ホーム」位置へと近位に後退させるように動作可能であり得る。加えて、又は代替的に、アンビル（５０）が開放位置にあるときに、「ホーム」ボタン（１１４）は、モータ（１１８）を起動させて、関節ジョイント（５２）を駆動して、非関節動作状態を達成し、よって、エンドエフェクタ（１８）がシャフトアセンブリ（１６）と同軸状に整列するように動作可能であり得る。加えて又は代替的に、「ホーム」ボタン（１１４）は、「ホーム」画面に戻るために、グラフィカルユーザインターフェース（１１６）を起動させ得る。本明細書の教示を考慮することで、「ホーム」ボタン（１１４）の起動に応答して提供され得る他の好適な動作が当業者に明らかになるであろう。
【００３０】
本実施例のシャフトアセンブリ（１６）は、連結シャフトアセンブリ（１６）をハンドルアセンブリ（１１）に、より具体的にはフレーム（２８）に、取り外し可能に連結するためのラッチシステムを更に含む。単なる例として、このラッチシステムは、シャーシ（６４）に移動可能に連結されたロックヨーク又は他の種類のロック部材を含むことができる。図３に示されるように、このようなロックヨークは、フレーム（２８）内の対応するロックデテント又は溝（９８）と解放可能に係合するように構成された２つの近位突出ロックラグ（９６）を含むことができる。いくつかの変形例では、ロックヨークは、弾性部材（例えば、ばねなど）によって近位方向に付勢される。ロックヨークの作動は、シャーシ（６４）に装着されたラッチアクチュエータアセンブリ（１０２）上に摺動可能に装着されたラッチボタン（１００）によって達成することができる。ラッチボタン（１００）は、ロックヨークに対して近位方向に付勢することができる。ロックヨークは、ラッチボタン（１００）を遠位方向に付勢することによってアンロック位置へと移動させることができ、これはまた、ロックヨークを枢動させて、フレーム（２８）との係合保持を解除する。ロックヨークがフレーム（２８）との「係合保持」状態であるとき、ロックラグ（９６）は、対応するロックデテント又は溝（９８）内に係合して着座される。更なる単なる例として、シャフトアセンブリ（１６）は、その開示内容が参照により本明細書に組み込まれる、２０１７年３月３０日に公開された、米国特許出願公開第２０１７／００８６８２３号、名称「Ｓｕｒｇｉｃａｌ  Ｓｔａｐｌｉｎｇ  Ｉｎｓｔｒｕｍｅｎｔ  ｗｉｔｈ  Ｓｈａｆｔ  Ｒｅｌｅａｓｅ，Ｐｏｗｅｒｅｄ  Ｆｉｒｉｎｇ，ａｎｄ  Ｐｏｗｅｒｅｄ  Ａｒｔｉｃｕｌａｔｉｏｎ」の教示の少なくとも一部に従って、その開示内容が参照により本明細書に組み込まれる、米国特許出願公開第２０１５／０２８０３８４号の教示の少なくともいくつかに従って、及び／又は任意の他の好適な適切な様式で、ハンドルアセンブリ（１１）と取り外し可能に連結され得る。
【００３１】
シャフトアセンブリ（１６）とハンドルアセンブリ（１１）との間の連結プロセスを開始するために、臨床医は、シャーシ（６４）上に形成された先細取り付け部分（７４）がフレーム（２８）内のダブテールスロット（７６）と整合されるように、フレーム（２８）の上方に、又はそれに隣接して、交換式シャフトアセンブリ（１６）のシャーシ（６４）を位置付けることができる。次いで、臨床医は、シャフトアセンブリ（１６）を、シャフトアセンブリ（１６）の長手方向軸に垂直な取り付け軸（ＩＡ）に沿って移動させて、取り付け部分（７４）を対応するダブテール受容スロット（７６）と「動作可能な係合」で着座させることができる。その際、中間発射シャフト（８２）上のシャフト取り付けラグ（８０）も、長手方向に移動可能な駆動部材（８６）のクレードル（８４）内に着座され、第２の閉鎖リンク（３８）上にあるピン（４２）の部分が、閉鎖シャトル（６２）内の対応するフック（６６）内に着座される。本明細書で使用するとき、２つの構成要素の文脈における「動作可能な係合」という用語は、それら２つの構成要素が互いに十分に係合され、そのため、作動運動をそれらに適用すると、構成要素が、意図される行為、機能、及び／又は手順を実行し得ることを意味する。
【００３２】
上で論じたように、交換式シャフトアセンブリ（１６）の少なくとも５つのシステムが、ハンドル（１４）の少なくとも５つの対応するシステムと動作可能に連結され得る。第１のシステムは、シャフトアセンブリ（１６）のフレーム又はスパインをハンドル（１４）のフレーム（２８）と連結する、及び／又は整列させる、フレームシステムを備える。第２のシステムは、シャフトアセンブリ（１６）をハンドル（１４）に解放可能にロックする、ラッチシステムである。
【００３３】
第３のシステムは、ハンドル（１４）の閉鎖トリガ（３２）、及び閉鎖管（６０）、及びシャフトアセンブリ（１６）のアンビル（５０）を動作可能に接続することができる、閉鎖駆動システム（３０）である。上で概説したように、シャフトアセンブリ（１６）の閉鎖シャトル（６２）は、第２の閉鎖リンク（３８）上にあるピン（４２）と係合する。閉鎖駆動システム（３０）を通して、アンビル（５０）は、閉鎖トリガ（３２）のピストルグリップ（２６）に向かう、及びそこから離れる枢動に基づいて、ステープルカートリッジ（２０）に向かって、及びそこから離れて枢動する。
【００３４】
第４のシステムは、ハンドル（１４）の発射トリガ（３３）とシャフトアセンブリ（１６）の中間発射シャフト（８２）とを動作可能に接続する、関節及び発射駆動システムである。上で概説したように、シャフト取り付けラグ（８０）は、長手方向駆動部材（８６）のクレードル（８４）と動作可能に接続する。この第４のシステムは、閉鎖トリガ（３２）の枢動位置に応じて、関節ジョイント（５２）又はステープルカートリッジ（２０）のモータ駆動の作動を提供する。閉鎖トリガ（３２）が非作動枢動位置にあるとき、第４のシステムは、関節制御ロッカー（１１２）を関節ジョイント（５２）と動作可能に接続し、それにより、関節ジョイント（５２）におけるシャフトアセンブリ（１６）の長手方向軸に向かう、及びそこから離れるエンドエフェクタ（１８）のモータ駆動の枢動偏向を与える。閉鎖トリガ（３２）が作動枢動位置にあるとき、第４のシステムは、発射トリガ（３３）をステープルカートリッジ（２０）と動作可能に接続し、発射トリガ（３３）の作動に応答して、アンビル（５０）とステープルカートリッジ（２０）との間に捕捉された組織のステープル留め及び切断をもたらす。
【００３５】
第５のシステムは、シャフトアセンブリ（１６）がハンドル（１４）と動作可能に係合されたことをハンドル（１４）の制御回路（１１７）に信号で伝えて、シャフトアセンブリ（１６）とハンドル（１４）との間で通電する、及び／又は信号を通信する、電気システムである。本実施例では、図３に示されるように、シャフトアセンブリ（１６）は、シャフト回路基板（図示せず）に動作可能に装着された電気コネクタ（１０６）を含む。電気コネクタ（１０６）は、ハンドル制御基板（図示せず）上の対応する電気コネクタ（１０８）と噛合係合するように構成される。回路及び制御システムに関する更なる詳細は、その開示内容が参照により本明細書に組み込まれる、国特許出願公開第２０１４／０２６３５４１号、及び／又はその開示内容が参照により本明細書に組み込まれる、米国特許出願公開第２０１５／０２７２５７５号に見出すことができる。
【００３６】
ハンドル（１４）の対応するシステムと動作可能に連結することができる交換式シャフトアセンブリ（１６）の他の種類のシステムは、本明細書の教示を考慮することで当業者に明らかになるであろう。
【００３７】
上で述べたように、本実施例のハンドルアセンブリ（１１）は、グラフィカルユーザインターフェース（１１６）を含む。単なる例として、グラフィカルユーザインターフェース（１１６）を使用して、電池パック（１１０）の動作状態、エンドエフェクタ（１８）の動作状態、関節ジョイント（５２）の動作状態、トリガ（３２、３３）の動作状態に関する様々な情報、及び／又は任意の他の種類の情報を表示することができる。グラフィカルユーザインターフェースを介して表示することができる他の適切な種類の情報は、本明細書の教示を考慮することで当業者に明らかになるであろう。
【００３８】
ハンドルアセンブリ（１１）は、異なるサイズ及び種類のステープルカートリッジを支持するように、異なるシャフト長、サイズ、及び種類を有するように、などのように適合されたエンドエフェクタを含む交換式シャフトアセンブリと接続して使用するように構成することができる。単なる例として、図６は、ハンドルアセンブリ（１１）と共に使用することができる様々な異なる種類のシャフトアセンブリ（１６、１２０、１３０、１４０）を示す。具体的には、図６は、円形ステープル留め動作（例えば、端々吻合）を実行するように動作可能であるエンドエフェクタ（１２２）を有する円形ステープラシャフトアセンブリ（１２０）、線形ステープル留め動作を実行するように動作可能であるエンドエフェクタ（１３２）を有するライナステープラシャフトアセンブリ（１３０）、及びエンドエフェクタ（１８）と同じ種類のステープル留め及び切断動作を行うように動作可能であるエンドエフェクタ（１４２）を有する第２のエンドカッターシャフトアセンブリ（１４０）を示す。しかしながら、この実施例では、シャフトアセンブリ（１４０）は、シャフトアセンブリ（１６）よりも短く、シャフトアセンブリ（１４０）は、シャフトアセンブリ（１６）よりも直径が小さく、エンドエフェクタ（１４２）は、エンドエフェクタ（１８）よりも小さい。これらの様々な外科用ステープル留めシャフトアセンブリ（１６、１２０、１３０、１４０）は、単なる例示的な実施例にすぎないことを理解されたい。
【００３９】
また、制御回路（１１７）は、ハンドルアセンブリ（１１）と連結されているシャフトアセンブリ（１６、１２０、１３０、１４０）の種類を検出し、その特定の種類のシャフトアセンブリ（１６、１２０、１３０、１４０）に好適な制御アルゴリズムを選択するように構成され得ることも理解されたい。別の単なる例示的な実施例として、各シャフトアセンブリ（１６、１２０、１３０、１４０）は、その特定の種類のシャフトアセンブリ（１６、１２０、１３０、１４０）に好適な制御アルゴリズムを記憶するチップ又は他のメモリデバイスを有することができ、制御回路（１１７）は、シャフトアセンブリ（１６、１２０、１３０、１４０）がハンドルアセンブリ（１１）と連結された後に、その制御アルゴリズムを受信及び実行することができる。
【００４０】
加えて、ハンドルアセンブリ（１１）はまた、例えば、高周波（radio frequency、ＲＦ）エネルギー、超音波エネルギー及び／又は運動などの他の運動及び種類のエネルギーを、様々な外科用途及び手術に関連して使用するように適合されたエンドエフェクタ構成に印加するように構成されたアセンブリを含む、様々な他の交換式シャフトアセンブリと共に効果的に用いることもできる。更に、エンドエフェクタ、シャフトアセンブリ、ハンドル、外科用器具及び／又は外科用器具システムは、任意の好適な締結具（複数可）を利用して組織を締結することができる。例えば、中に着脱可能に格納された複数の締結具を備える締結具カートリッジが、シャフトアセンブリのエンドエフェクタに着脱可能に挿入及び／又は装着され得る。そのようなカートリッジの様々な例は、本明細書に列挙される様々な参考文献に開示されている。
【００４１】
本明細書に開示される様々なシャフトアセンブリ（１６）は、ハンドル付きのアセンブリ（１１）内の制御回路（１１７）との電気通信を必要とするセンサ及び他の様々な構成要素を用いることができる。電気通信は、電気コネクタ（１０６、１０８）を噛合させることを介して提供することができる。単なる例として、このようなセンサ及び他の構成要素は、その開示内容が参照により本明細書に組み込まれる、米国特許出願公開第２０１５／０２７２５７５号の教示の少なくともいくつかに従って構築され、動作可能であり得る。加えて又は代替的に、器具（１０）は、本明細書に列挙される他の様々な参考文献のうちのいずれかの教示の少なくとも一部に従って構築され、かつ動作可能であってもよい。
【００４２】
本明細書に開示される様々な教示が、ロボット制御式外科用システムと接続して、効果的に利用することができることを理解するであろう。したがって、「筐体」又は「本体」という用語はまた、本明細書に開示される交換式シャフトアセンブリ及びそれらのそれぞれの同等物を作動させるために使用することができる、少なくとも１つの制御運動を生成及び適用するように構成された少なくとも１つの駆動システムを収容するか又は別様に動作可能に支持する、ロボットシステムの筐体又は同様の部分も包含することができる。「フレーム」という用語は、手持ち式外科用器具の一部分を指してもよい。「フレーム」という用語はまた、ロボット制御式の外科用器具の一部分、及び／又は外科用器具を動作可能に制御するために使用され得るロボットシステムの一部分も表すことができる。単なる例として、本明細書に開示される交換式シャフトアセンブリは、その開示内容が参照により本明細書に組み込まれる、２０１５年７月７日に発行された、米国特許第９，０７２，５３５号、名称「Ｓｕｒｇｉｃａｌ  Ｓｔａｐｌｉｎｇ  Ｉｎｓｔｒｕｍｅｎｔｓ  ｗｉｔｈ  Ｒｏｔａｔａｂｌｅ  Ｓｔａｐｌｅ  Ｄｅｐｌｏｙｍｅｎｔ  Ａｒｒａｎｇｅｍｅｎｔｓ」に開示される、様々なロボットシステム、器具、構成要素、及び方法のいずれかと共に用いることができる。
【００４３】
ＩＩ．独立した電源を有する例示的な電池寿命ディスプレイ
上で述べたように、本実施例のハンドルアセンブリ（１１）は、グラフィカルユーザインターフェース（１１６）を含み、これを使用して、電池パック（１１０）の動作状態、エンドエフェクタ（１８）の動作状態、関節ジョイント（５２）の動作状態、トリガ（３２、３３）の動作状態に関する情報、及び／又は任意の他の種類の情報を表示することができる。いくつかの場合では、単にどのくらいの寿命が電池パック（１１０）に残存しているのかを示す二次ディスプレイを提供することが望ましくなり得る。そのような二次ディスプレイは、グラフィカルユーザインターフェース（１１６）内に、又は電池パック（１１０）内に一体化することができる。また、二次ディスプレイは、残りのグラフィカルユーザインターフェース（１１６）、モータ（１１８）、及び制御回路（１１７）とは独立に、残りのグラフィカルユーザインターフェース（１１６）及びモータを駆動する制御回路（１１７）から独立した制御回路と共に、などによって給電することも望ましくなり得る。図７〜図１４、図１６Ａ、及び図１６Ｂは、電池パック（１１０）の一次駆動電池の有用な残存寿命又は動作状態に関する情報を提供するための、以下電池寿命ディスプレイ（２１６）と称される二次ディスプレイを含む、ハンドルアセンブリ（１１）のいくつかの例示的な変形形態を示す。
【００４４】
Ａ．電池寿命ディスプレイの例示的な位置付け
図７〜図１０に示されるように、ハンドルアセンブリ（１１）のいくつかの変形例は、静的に配置された、又は固定的にハンドルアセンブリ（１１）と関連付けられた電池寿命ディスプレイ（２１６）を含むことができる。この電池寿命ディスプレイ（２１６）の静的変形例は、ハンドルアセンブリ（１１）と一体化されるように、又は別様にハンドルアセンブリ（１１）から通常は別々に移動しないように構成される。ハンドルアセンブリ（１１）のいくつかの変形例では、電池寿命ディスプレイ（２１６）は、図７に示されるような相互接続可能なハンドル筐体セグメント（２２、２４）又は図８に示されるような電池パック（１１０）のいずれかに提供することができる。図９及び図１０に示されるように、電池寿命ディスプレイ（２１６）は、グラフィカルユーザインターフェース（１１６）と一体であるが、セグメント化された部分として提供することができる。
【００４５】
電池寿命ディスプレイ（２１６）がグラフィカルユーザインターフェース（１１６）と一体化された変形例では、電池寿命ディスプレイ（２１６）は、グラフィカルユーザインターフェース（１１６）の任意の領域内に提供することができ、相対的な位置は、所望に応じてカスタマイズ可能であり得る。例えば、ユーザは、図１０に示されるように、ユーザ入力を操作して、グラフィカルユーザインターフェース（１１６）の右下四半部に位置付けられた電池寿命ディスプレイ（２１６）を構成することができる。代替的に、別のユーザは、ユーザ入力を操作して、グラフィカルユーザインターフェース（１１６）の左上四半部に位置付けられた電池寿命ディスプレイ（２１６）を構成することができる。
【００４６】
Ｂ．電池寿命ディスプレイの例示的な別体の電源
図１１に概略的に示されるように、グラフィカルユーザインターフェース（１１６）は、電池パック（１１０）を介して第１の又は一次電源によって給電され、一方で、電池寿命ディスプレイ（２１６）は、本明細書で電源（２１０）と称される、別体の二次電源によって給電される。いくつかの変形例では、電源（２１０）は、電池パック（１１０）内の一次電源とは異なる専用の電源である。この構成では、電源（２１０）は、ハンドルアセンブリ（１１）又は電池パック（１１０）内に適合するようにサイズ決定された（例えば、器具（１０）の動作を駆動するために使用される電池パック（１１０）内の一次セルに隣接する）、コインセル電池又は別のスタイルの電池などの電池を備えることができる。他の変形例では、電源（２１０）は、電池寿命ディスプレイ（２１６）と電池パック（１１０）内に提供された一次電源との間の中間電源である。この構成では、電源（２１０）は、小電力リザーバ（例えば、コンデンサ、スーパーキャパシタなど）とすることができ、電力レベルが特定の閾値未満に消耗することに応答して、電池パック（１１０）内の一次電源から再充電することができる。単なる例として、電池寿命ディスプレイ（２１６）は、その開示内容が参照により本明細書に組み込まれる、２０１７年４月６日に出願された米国特許出願第１５／４８０，５４６号、名称「Ｌｉｆｅｃｙｃｌｅ  Ｍｏｎｉｔｏｒｉｎｇ  Ｆｅａｔｕｒｅｓ  ｆｏｒ  Ｓｕｒｇｉｃａｌ  Ｉｎｓｔｒｕｍｅｎｔ」の教示の少なくともいくつかに従って、独立して給電することができる。更に別の単に例示的な変形形態では、主ディスプレイ（１１６）を駆動するのと同じ電池が寿命ディスプレイ（２１６）を駆動することができ、よって、別体の専用の寿命ディスプレイ電源（２１０）を必要としない。両方の種類のディスプレイ（１１６、２１６）を駆動するために同じ電源が使用される場合であっても、関連付けられた回路（１１７、１１８）の構成の違いは、寿命ディスプレイ（２１６）が、主ディスプレイ（１１６）によって取り出される電力量よりも少ない電力を電源から取り出す結果になり得る。
【００４７】
図１１に示されるように、充電回路（２１７）は、電源（２１０）が、グラフィカルユーザインターフェース（１１６）に電力を提供する電池パック（１１０）内に提供された一次電源へのアクセスを可能にするように提供される。電源（２１０）のいくつかの変形例は、必要に応じて電池寿命ディスプレイ（２１６）に電力を供給するように構成された充電式電池として具現化することができる。これらの変形例では、電源（２１０）は、必要に応じて電力を電池パック（１１０）内の一次電源から充電回路（２１７）に取り出して、電源（２１０）を再充電する。
【００４８】
Ｃ．例示的な電池寿命の追跡
上で論じたように、ハンドルアセンブリ（１１）は、器具（１０）の再使用可能な構成要素とすることができる。しかしながら、ハンドルアセンブリ（１１）は、ある程度再使用可能であるが、ハンドルアセンブリ（１１）は、経時的に機械的及び／又は電気的な劣化を経験し得る。例えば、電池パック（１１０）内の一次電源は、最終的に特定の閾値未満に消耗する場合があり、ハンドルアセンブリ（１１）に接続されたエンドエフェクタ（１８）が発射するために、もはやモータ（１１８）に十分に給電することができない場合がある。段階的な劣化は、ハンドルアセンブリ（１１）及び／又は電池パック（１１０）内の一次電源のデバイス寿命と相関し得る。デバイス寿命は、ハンドルアセンブリ（１１）の特定の使用状況に応じて、静的考察（例えばハンドルアセンブリ（１１）の５回の発射）又は動的考察であり得る。
【００４９】
制御回路（２１８）は、ハンドルアセンブリ（１１）又は電池パック（１１０）内に含むことができる。単なる例として、制御回路（２１８）は、本明細書の教示を考慮することで当業者に明らかになるであろうように、マイクロコントローラ及び／又は様々な他の構成要素を備えることができる。制御回路（２１８）は、器具（１０）の様々な要素のメトリック及び特性を収集するための、及びその後の、ハンドルアセンブリ（１１）又は電池パック（１１０）内の一次電源のいずれかの残存寿命量を計算するためのアルゴリズムを記憶及び実行するように構成される。制御回路（２１８）はまた、電池寿命ディスプレイ（２１６）を駆動して、計算された残存寿命をユーザに表示するようにも構成される。いくつかの変形例では、制御回路（２１８）は、シャフトアセンブリ（１６）及び／又はハンドルアセンブリ（１１）、又は器具（１０）内の任意の他の要素から１つ又は２つ以上の信号を受信し、処理するように構成される。制御回路（２１８）が構成され、動作可能であり得る他の好適な方法は、本明細書の教示を考慮することで当業者に明らかになるであろう。ハンドルアセンブリ（１１）のいくつかの変形例では、制御回路（２１８）が省略され、本明細書に記載される任意の機構又は機能は、制御回路（１１７）を通して提供される。本実施例では、制御回路（２１８）は、寿命ディスプレイ（２１６）を駆動するために、主ディスプレイ（１１６）を駆動するために制御回路（１１７）によって必要とされる電力よりも少ない電力を取り出すように構成される。
【００５０】
電池寿命ディスプレイ（２１６）は、ハンドルアセンブリ（１１）及び／又は電池パック（１１０）の一次電源の推定された残存寿命をユーザに示すように構成される。ユーザへの残存寿命フィードバックを提供するために、制御回路（２１８）は、ハンドルアセンブリ（１１）の様々なメトリック又は他の使用特徴を追跡し、デバイス寿命変数を計算又は更新するように構成される。デバイス寿命変数は、その後に、グラフィカルフィードバックに変換され、電池寿命ディスプレイ（２１６）を通してユーザに提供されて、ハンドルアセンブリ（１１）及び／又は電池パック（１１０）の一次電源の関連する残存寿命をユーザに示す。
【００５１】
デバイス寿命情報を連続的に提供するための一般的な方法（２１９）を図１２に示す。方法（２１９）は、工程（２２１）から始まり、それによって、デバイス寿命変数が電池寿命ディスプレイ（２１６）上でユーザに表示される。ハンドルアセンブリ（１１）の第１の使用又は第１の初期化に応じて、デバイス寿命変数は、ハンドルアセンブリ（１１）の全残存寿命を示す。
【００５２】
方法（２１９）のいくつかの変形例では、工程（２２１）は、要求イベントによって作動させる、又はトリガすることができ、それによって、ユーザは、アクティブ又はパッシブのいずれかに、電池寿命ディスプレイ（２１６）を介してハンドルアセンブリ（１１）及び／又は電池パック（１１０）内の一次電源の残存寿命を視認することを要求する。方法（２１９）のこれらの変形例では、電池寿命ディスプレイ（２１６）は、要求イベント間の時間中の電力使用を最小にするために、スリープ又は減光するように構成される。電池寿命ディスプレイ（２１６）は、アクティブ又はパッシブ要求イベントの作動時に、スリープからウェイクして、又は別様に通電して、フィードバックをユーザに提供する。アクティブ要求イベントの例としては、ボタンを押下すること、グラフィカルユーザインターフェース（１１６）を起動させること、又は器具（１０）の別の要素を作動させることを挙げることができる。パッシブ要求イベントの例としては、下に記載されるような寿命喪失イベント、システムイベントの発生、内蔵加速度計に関する閾値に到達すること、又は特定の内部カウンタが次の間隔に到達したとき、を挙げることができる。デバイス寿命変数又はそのグラフィカル表現がユーザに表示されると、工程（２２１）は、工程（２２３）へ進む。
【００５３】
工程（２２３）で、寿命喪失イベントが検出されたかどうかに関する判定を行う。ハンドルアセンブリ（１１）のいくつかの変形例では、制御回路（１１７）がこの判定を調整又は提供する。他の変形例では、制御回路（２１８）がこの判定を調整又は提供する。更に他の変形例では、制御回路（１１７）及び制御回路（２１８）がこの判定を調整又は提供する。寿命喪失イベントが検出された場合、工程（２２３）は、工程（２２５）へ進む。寿命喪失イベントが検出されなかった場合、工程（２２３）は、工程（２２１）へ戻る。
【００５４】
寿命喪失イベントは、ハンドルアセンブリ（１１）及び／又は電池パック（１１０）内の一次電源の残存寿命に影響を及ぼすイベントとして、制御回路（１１７、２１８）の一方又は両方が認識可能なイベントである。例えば、ハンドルアセンブリ（１１）の発射は、電池パック（１１０）内の一次電源を消耗させ得、ある量だけハンドルアセンブリ（１１）の有効寿命を低減させ得る。寿命喪失イベントの他の例としては、器具（１０）のスイッチ（図示せず）を機械的にトグルすること、制御回路（１１７）が寿命喪失を示した又は認識したときのグラフィカルユーザインターフェース（１１６）又はハンドルアセンブリ（１１）からの通信、又はハンドルアセンブリ（１１）が寿命量を使用したときにハンドルアセンブリ（１１）が、次のインクリメンタル寿命喪失を機械的、電気的、又は光学的のいずれかで通信すること、が挙げられる。
【００５５】
いくつかの変形例では、下でより詳細に論じるように、電池寿命ディスプレイ（２１６）及び／又は制御回路（２１８）は、電池パック（１１０）内の一次電源がスリープモードである間、電池パック（１１０）と関連付けられた低域電流監視回路にアクセスすることができる。いくつかの変形例では、電池パック（１１０）内の一次電源がスリープモードである間のみ、低域監視回路へのアクセスが制限される。これらの変形例では、電池寿命ディスプレイ（２１６）及び／又は制御回路（２１８）は、一次電源がスリープモードでないときに、電池パック（１１０）内の一次電源と関連付けられた一次回路にアクセスすることができる。電池寿命ディスプレイ（２１６）は、一次電源と関連付けられた残存寿命を要求に応じて表示するように構成することができ、かつ専用のコインセル電源又は他の種類の専用の電源によって駆動することができる。単なる例として、本明細書に開示される低範囲電流監視回路及び／又は一次回路は、その開示内容が参照により本明細書に組み込まれる、本明細書と同日出願の米国特許出願第［代理人整理番号ＥＮＤ８１５７ＵＳＮＰ．０６４５３０８］号、名称「Ｂａｔｔｅｒｙ  Ｐｏｗｅｒｅｄ  Ｓｕｒｇｉｃａｌ  Ｉｎｓｔｒｕｍｅｎｔ  ｗｉｔｈ  Ｄｕａｌ  Ｐｏｗｅｒ  Ｕｔｉｌｉｚａｔｉｏｎ  Ｃｉｒｃｕｉｔｓ  ｆｏｒ  Ｄｕａｌ  Ｍｏｄｅｓ」に開示される様々なシステム、器具、構成要素、及び方法のうちのいずれかと共に用いることができる。
【００５６】
寿命イベントの喪失を検出した後に、工程（２２３）は、工程（２２５）へ進む。工程（２２５）で、デバイス寿命変数を更新して、ハンドルアセンブリ（１１）及び／又は電池パック（１１０）内の一次電源の残存寿命の変化を反映する。その後に、工程（２２５）は、工程（２２１）へ戻り、電池寿命ディスプレイ（２１６）を介して、更新された寿命情報をユーザに表示する。
【００５７】
Ｄ．例示的な低消費電力のグラフィカルフィードバック
電池寿命ディスプレイ（２１６）は、電源（２１０）の要件を最小にするために、ハンドルアセンブリ（１１）及び／又は電池パック（１１０）内の一次電源に通電するために必要とされる電力を最小にし、かつそれらの残存寿命を示すように構成することができる。この目的のために、電池寿命ディスプレイ（２１６）は、ハンドルアセンブリ（１１）及び／又は電池パック（１１０）内の一次電源の単純な数字又は相対残存寿命の図的表現などの、残存寿命を例示するためのグラフィカルに単純なスキームを含むことができる。図１３Ａに示されるように、電池寿命ディスプレイ（２１６）は、寿命メーター（２２７）を示して、残存寿命に関するフィードバック情報をユーザに提供することができる。寿命メーター（２２７）は、ハンドルアセンブリ（１１）及び／又は電池パック（１１０）内の一次電源に残存する寿命の総数を示すために、その上に数字（２３１）を有する、左右に延在する複数のバー（２２９）を含む。数字（２３１）を参照して見たときに、残存する寿命の総量を表すために、１本の特定のバー（２２９Ａ）を残存バー（２２９）と異なる色で発光させる。この実施例では、バー（２２９Ａ）は、他のバー（２２９）と異なる色で発光させ、かつ一般に、「４０」の寿命が残存していることを示すための数字（２３１Ａ）と整列される。ハンドルアセンブリ（１１）及び／又は電池パック（１１０）内の一次電源において寿命が使用されるにつれて、バー（２２９Ａ）が矢印Ａの方向に移動して、ハンドルアセンブリ（１１）及び／又は電池パック（１１０）内の一次電源の残存寿命の減少量を示す。
【００５８】
図１３Ｂに示されるように、電池寿命ディスプレイ（２１６）は、残存寿命に関するフィードバック情報をユーザに提供するために、スライダ（２３３）を示すことができる。スライダ（２３３）は、残存寿命を示すために、ハッシュマーク（２３９）を有するトラック（２３７）と並置されたインジケータ（２３５）を含む。ハンドルアセンブリ（１１）及び／又は電池パック（１１０）内の一次電源から寿命が費やされる／デビットされるにつれて、インジケータが矢印Ｂの方向に移動して、寿命の減少を示す。
【００５９】
図１３Ｃに示されるように、電池寿命ディスプレイ（２１６）は、自動車スタイルの燃料計又はタコメーターを連想させるゲージ（２４１）を示すことができる。ゲージ（２４１）は、ドーム形状（２４３）を含み、ドームの一方の側部のグラフィック「Ｅ」は、電池寿命が「空」であることを表し、他方の側部のグラフィック「Ｆ」は、電池寿命が「満杯」であること表す。針（２４５）は、回転して「Ｆ」と「Ｅ」との間の領域内を指して、「空」から「満杯」の範囲に対してどのくらいの寿命がハンドルアセンブリ（１１）及び／又は電池パック（１１０）内の一次電源に残存しているのかを示す。ハンドルアセンブリ（１１）及び／又は電池パック（１１０）内の一次電源から寿命が費やされる／デビットされるにつれて、針（２４５）が矢印Ｃの方向に反時計回りに回転して、寿命の減少を示す。
【００６０】
上に記載し、図１３Ａ〜図１３Ｃに示されるように、寿命メーター（２２７）、スライダ（２３３）、及びゲージ（２４１）は、単に電源（２１０）から最小量の電力を必要とするグラフィカルフィードバックの例にすぎない。寿命メーター（２２７）、スライダ（２３３）、及びゲージ（２４１）は、電子インク、ＬＥＤ、ＬＣＤ、又は任意の他のグラフィカル技術を使用して形成することができる。更に、任意の他のスタイルのグラフィカルに単純なフィードバックを、電池寿命ディスプレイ（２１６）によって提供することができる。
【００６１】
Ｅ．例示的な電池モード
ハンドルアセンブリ（１１）のいくつかの変形例では、電池パック（１１０）内の一次電源は、アクティブモードと、スリープモードと、廃棄モードとの間を移行することができる。電池パック（１１０）内の一次電源は、ユーザがハンドルアセンブリ（１１）を取り扱っているか又は別様に現在器具（１０）と相互作用しているときに、アクティブモードに移行する。ハンドルアセンブリ（１１）が不使用期間を感知したときに、電池パック（１１０）内の一次電源は、スリープモードに入る。スリープモードでは、ハンドルアセンブリ（１１）は、ユーザがハンドルアセンブリ（１１）を持ち上げて、内蔵加速度計を作動させるなどのウェイクイベントを待機している間、電池パック（１１０）内の一次電源から最小量の電力を取り出す。ハンドルアセンブリ（１１）及び／又は電池パック（１１０）内の一次電源の有用な寿命が特定の閾値未満に減少したときに、電池パック（１１０）が廃棄モードへ移動する。廃棄モードでは、電池パック（１１０）は、電力を器具（１０）に提供しない。これは、器具（１０）が医療処置の最中に故障又は別様に作業を停止しないことを確実にする。
【００６２】
図１４は、ハンドルアセンブリ（１１）及び電池パック（１１０）のいくつかの変形例で使用するための方法（３０１）を例示する。方法（３０１）は、工程（３０３）から始まり、それによって、ハンドルアセンブリ（１１）がアクティブモードになる。アクティブモードでは、ユーザは、いくつかの様態でハンドルアセンブリ（１１）を現在使用している、最近使用した、又は使用する準備をしている、のいずれかである。工程（３０３）の後に、方法（３０１）は、工程（３０５）へ進む。工程（３０５）で、ハンドルアセンブリ（１１）に対してスリープモードを開始するべきかどうかに関する判定を行う。この判定は、制御回路（１１７）又は制御回路（２１８）が利用できるシステムメトリック又は他の情報に対して行うことができる。例えば、ハンドルアセンブリ（１１）は、加速度計を含むことができ、加速度計ハンドルアセンブリ（１１）の移動を検出してから経過した時間量に基づいて、スリープモードに入るかどうかに関する判定を行うことができる。スリープモードを開始するべきでないと判定した場合、工程（３０５）は、工程（３０３）へ戻る。スリープモードを開始するべきであると判定した場合、工程（３０５）は、工程（３０７）へ進む。
【００６３】
工程（３０７）で、ハンドルアセンブリ（１１）、電池パック（１１）の一次電源にどのくらいの寿命が残存しているか、及び／又は残存寿命に基づいてハンドルアセンブリ（１１）が更にどのくらい発射を行うことができるか、に関する判定を行う。その後に、残存する発射及び／又は寿命を特定の閾値と比較する。例えば、方法（３０１）のいくつかの変形例では、残存する発射の閾値数は、４である。この実施例では、工程（３０７）は、ハンドルアセンブリ（１１）に残存する発射が４回以下であるかどうかを判定する。工程（３０７）で、ハンドルアセンブリ（１１）に残存する発射が４回よりも多いと判定した場合、工程（３０７）は、工程（３０９）へ進み、ハンドルアセンブリ（１１）に対してスリープモードを開始する。スリープモードを開始した後に、工程（３０９）は、工程（３１３）へ進む。工程（３１３）で、ハンドルアセンブリ（１１）が上に記載したようなウェイクイベントに遭遇したかどうかに関する判定を行う。ハンドルアセンブリ（１１）がウェイクイベントに遭遇していないと判定した場合、工程（３１３）は、工程（３０９）へ戻る。ハンドルアセンブリ（１１）がウェイクイベントに遭遇したと判定した場合、工程（３１３）は、工程（３０３）へ戻り、アクティブモードを開始する。
【００６４】
工程（３０７）で、残存寿命に基づいてハンドルアセンブリ（１１）及び／又は電池パック（１１０）内の一次電源に残存する発射が４回以下であると判定した場合、工程（３０７）は、工程（３１１）へ進む。工程（３１１）で、電池パック（１１０）が廃棄モードに移行する。廃棄モードでは、電池パック（１１０）内の一次電源の電池の動作を中止し、電池パック（１１０）内の一次電源に依存するハンドルアセンブリ（１１）の要素は、もはや機能しなくなる。残存する発射及び寿命が少ない場合は、電池パック（１１０）内の一次電源は、あたかも完全に使い切ったかのように扱われて、ハンドルアセンブリ（１１）がもはや使用されないことを確実にし、したがって、医療処置中にハンドルアセンブリ（１１）が動かなくなることを防止する。その後に、工程（３１１）は、工程（３１５）へ進む。工程（３１５）で、ハンドルアセンブリ（１１）／電池パック（１１０）の廃棄モードに関するフィードバックが、グラフィカルユーザインターフェース（１１６）又は電池寿命ディスプレイ（２１６）を通してユーザに提供される。上で述べたように、電池寿命ディスプレイ（２１６）は、電源（２１０）及び制御回路（２１８）によって駆動されて、廃棄モードへの移行を示す。
【００６５】
ＩＩＩ．例示的な可動ディスプレイ
ハンドルアセンブリ（１１）の頂部上にグラフィカルユーザインターフェース（１１６）を位置付けることで、様々な外科的状況において、器具（１０）の多数のユーザに対して十分な視認性を提供することができる。しかしながら、ユーザが、様々な他の角度からグラフィカルユーザインターフェース（１１６）を視認することを可能にすることが望ましい場合がある。例えば、シャフトアセンブリ（１６）が患者に挿入される角度に応じて、ハンドルアセンブリ（１１）の側部又は後方からのグラフィカルユーザインターフェース（１１６）の視認を容易にすることが望ましい場合がある。更に、ユーザが状況に基づいて手元で臨機応変に調整を行うことができるように、ユーザが、グラフィカルユーザインターフェース（１１６）の位置付け及び／又は角度を選択することを可能にすることが望ましい場合がある。図１５Ａ〜図２１は、ユーザが所望に応じて、又は人間工学的な目的で、及び／又は他の目的でディスプレイを位置付けることを可能にするための可動ディスプレイを含む、ハンドルアセンブリ（１１）のいくつかの例示的な変形形態を示す。
【００６６】
Ａ．例示的なディスプレイの角度的な移動
図１５Ａ〜図１５Ｇに示されるように、ハンドルアセンブリ（１１）は、可動ディスプレイ（４０１）を含むことができる。可動ディスプレイ（４０１）は、一般に、ハンドルアセンブリ（１１）の近位端部に位置付けられ、かつジョイント（４０５）によりハンドルアセンブリ（１１）の筐体（１２）と連結されたディスプレイ部分（４０２）を含む。ディスプレイ部分（４０２）は、筐体（４０３）内に、グラフィカルユーザインターフェース（１１６）などのディスプレイを含む。ジョイント（４０５）は、ディスプレイ部分（４０２）を２つの運動軸を中心にハンドルアセンブリ（１１）に対して移動させて、ディスプレイ部分（４０２）をユーザが所望する任意の位置に位置付けることを可能にする。ジョイント（４０５）は、図１５Ｂに示されるように、ディスプレイ部分（４０２）が第１の軸（４０６）を中心に角度的に移動することを可能にする。第１の軸（４０６）は、一般に、図１５Ｂにおいて軸（４０８）として示されるハンドルアセンブリ（１１）の長手方向軸に対して直角である。ジョイント（４０５）はまた、ディスプレイ部分（４０２）が第２の軸（４０７）を中心に角度的に移動することも可能にする。第２の軸（４０７）は、軸（４０８）と略同一平面上にあり、かつハンドルアセンブリ（１１）の長手方向軸と平行である。
【００６７】
図１５Ａ及び図１５Ｂに示されるように、ディスプレイ部分（４０２）は、筐体（１２）の上部分に対して選択的に平らに倒すように構成される。所望に応じて、ユーザは、ディスプレイ部分（４０２）をジョイント（４０５）の第１の軸（４０６）を中心に矢印Ｄの方向に移動させて、グラフィカルユーザインターフェース（１１６）をハンドルアセンブリ（１１）に対して近位に突出させることによって、ディスプレイ部分（４０２）を図１５Ｃに例示される配向に手で持ち上げることができる。その後に、ユーザは、ジョイント（４０５）の第２の軸（４０７）を中心に矢印Ｅの方向にディスプレイ部分（４０２）を移動させることによって、ディスプレイ部分（４０２）を図１５Ｄに例示される配向に移動させることができる。図１５Ｅに示されるように、グラフィカルユーザインターフェース（１１６）をハンドルアセンブリ（１１）に対して遠位に突出させるために、ユーザは、ディスプレイ部分（４０２）を矢印Ｅの方向に回転させ続ける。図１５Ｅに例示される配向から、ユーザは、図１５Ｆ及び図１５Ｇに示されるように、ディスプレイ部分（４０２）をジョイント（４０５）を中心に矢印Ｆの方向に移動させて、ディスプレイ部分（４０２）をハンドルアセンブリ（１１）の近位部分に対して折り畳むことができる。したがって、可動ディスプレイ（４０１）は、ユーザが、グラフィカルユーザインターフェース（１１６）の配向を決定し、グラフィカルユーザインターフェース（１１６）をユーザ個人の好みへ移動させることを可能にする。
【００６８】
いくつかの変形例では、デテント又は他の機構を使用して、可動ディスプレイ（４０１）を所望の位置で選択的に保持することができる。デテントは、可動ディスプレイ（４０１）が不注意に移動するのを防止するのに十分な抵抗力を提供するように構成することができるが、更に、ユーザが位置付けを容易に調節することも可能にする。更に、内蔵加速度計又は他のセンサ（複数可）を提供して、可動ディスプレイ（４０１）及び／又はハンドルアセンブリ（１１）の位置及び／又は配向を感知し、かつそれに応じて示された情報の配向を変化させることができる。例えば、ユーザが、可能なディスプレイ（４０１）を十分に移動させて、可動ディスプレイ（４０１）を逆さまに回転させたときに、可動ディスプレイ（４０１）内の情報を回転させ、又は調節して、可動ディスプレイ（４０１）の配向に対して正しい配向で情報を提供するようにすることができる。
【００６９】
ジョイント（４０５）のいくつかの変形例では、図１５Ｃから図１５Ａ及び図１５Ｂに示される配向への可動ディスプレイ（４０１）の移動が阻止される。したがって、可動ディスプレイ（４０１）は、図１５Ｅに示される配向と図１５Ｇに示される配向との間でのみ移行することができる。ジョイント（４０５）のいくつかの変形例は、単軸ジョイントとすることができ、第１の軸（４０６）を中心とする枢動移動のみを可能にし、一方で、可動ディスプレイ（４０１）の第２の軸（４０７）を中心とする移動を阻止する。これらのジョイント（４０５）の変形例では、可動ディスプレイ（４０１）は、一般に、図１５Ｅから図１５Ｆ、図１５Ｇへと枢動して戻る。
【００７０】
図１６Ａ及び図１６Ｂに示されるように、ハンドルアセンブリ（１１）は、可動ディスプレイ（５０１）を含むことができる。可動ディスプレイ（４０１）と同様に、可動ディスプレイ（５０１）は、一般に、ハンドルアセンブリ（１１）の近位端部に位置付けられており、また、筐体（５０３）内にあり、かつジョイント（５０５）によりハンドルアセンブリ（１１）の筐体（１２）と連結されたディスプレイ部分（５０２）を含む。ジョイント（５０５）の配向及び移動範囲は、ディスプレイ部分（５０２）がハンドルアセンブリ（１１）の近位部分を越えて移動してその後方に当接するように折り畳むことをジョイント（５０５）が阻止するという点で、ジョイント（４０５）と異なる。これらの制限内で、ジョイント（５０５）は、可動ディスプレイ（５０１）が、ハンドルアセンブリ（１１）の長手方向軸（５１３）に対して略直交して配向された第１の軸（５０９）を中心に移動することを可能にする。ジョイント（５０５）はまた、可動ディスプレイ（５０１）が、長手方向軸（５１３）と略同一平面上に、かつハンドルアセンブリ（１１）の長手方向軸に対して直角に配向された第２の軸（５１１）を中心に移動することも可能にする。
【００７１】
図１６Ｂに示されるように、ディスプレイ部分（５０２）は、第１の軸（５０９）を中心に矢印Ｇの方向に移動可能であり、かつ第２の軸（５１１）を中心に矢印Ｈの方向に移動可能である。しかしながら、ジョイント（５０５）の配置及び構成のため、ディスプレイ部分（５０２）は、ハンドルアセンブリ（１１）の主平面と略水平を越えて移動することが阻止される。ハンドルアセンブリ（１１）のいくつかの変形例では、電池パック（１１０）は、電池区画（５０７）内に取り外し可能に配置され、したがって、ユーザが電池区画（５０７）をディスプレイ部分（５０２）で覆うことを阻止することが望ましい場合がある。したがって、ユーザが、ディスプレイ部分（５０２）を、電池区画（５０７）と重なった関係に移動させることを阻止する。
【００７２】
Ｂ．例示的な枢動ディスプレイ
図１７Ａ〜図２１に示されるように、ハンドルアセンブリ（１１）は、可動ディスプレイ（４０１、５０１）を用いて例示されるような二軸の角度的な移動ではなく、単軸の角度的な移動を有するディスプレイを含むことができる。
【００７３】
可動ディスプレイ（６０１）を図１７Ａ及び図１７Ｂに示す。可動ディスプレイ（６０１）は、一般に、ハンドルアセンブリ（１１）の近位端部に位置付けられており、また、枢動ジョイント（６０５）によりハンドルアセンブリ（１１）の筐体（１２）と連結されたディスプレイ部分（６０２）を含む。ディスプレイ部分（６０２）は、筐体（６０３）内に、グラフィカルユーザインターフェース（１１６）などのディスプレイを含む。枢動ジョイント（６０５）は、ディスプレイ部分（６０２）を軸（６１１）を中心にハンドルアセンブリ（１１）に対して枢動させて、ディスプレイ部分（６０２）を図１７Ｂの矢印Ｉに沿ってユーザが所望する任意の位置に位置付けることを可能にする。枢動ジョイント（６０５）は、ディスプレイ部分（６０２）によって画定されたチャネル（図示せず）内に配置されたピン（６０７）と、並びに一対のブラケット（６０９）によって画定され、かつチャネルと略整列されて、ディスプレイ部分（６０２）をピン（６０７）を中心に回転することを可能にする一対の凹部（図示せず）と、を含む。
【００７４】
図１８〜図１９Ｃは、以下、可動ディスプレイ（７０１）と称される、ハンドルアセンブリ（１１）に対して枢動可能な別の可動ディスプレイを例示する。可動ディスプレイ（７０１）は、２つのブラケット（６０９）の間に配置されたピン（６０７）を有する枢動ジョイント（６０５）ではなく、ガイド付きスライド機構（７０５）を含む。ガイド付きスライド機構（７０５）は、第１の位置（Ｐ１）（図１９Ａに示される）と、第２の位置（Ｐ２）（図１９Ｂに示される）と、第３の位置（Ｐ３）（図１９Ｃに示される）との間の、及びこれらの間の任意の中間位置の間の、ディスプレイ部分（７０２）のスライド枢動を容易にする。
【００７５】
ガイド付きスライド機構は、第１のピボット接続部（７０９）によりディスプレイ部分（７０２）の各側部に接続された一対のディスプレイアーム（７０７）を含む。第１のピボット接続部（７０９）は、ディスプレイアーム（７０７）及びディスプレイ部分（７０２）を必要に応じて移動させて、ディスプレイ部分（７０２）を第１の位置（Ｐ１）と第３の位置（Ｐ３）との間で移動させることを可能にする、任意の要素とすることができる。各回転アーム（７０７）は、第２のピボット接続部（７１１）によりハンドルアセンブリ（１１）に接続される。第２のピボット接続部（７１１）は、ディスプレイアーム（７０７）及びディスプレイ部分（７０２）を必要に応じて移動させて、ディスプレイ部分（７０２）を第１の位置（Ｐ１）と第３の位置（Ｐ３）との間で移動させることを可能にする、任意の要素とすることができる。図１９Ａ〜図１９Ｃに示されるように、ガイド付きスライド機構（７０５）は、ディスプレイ部分（７０２）が第１の位置（Ｐ１）と、第２の位置（Ｐ２）と、第３の位置（Ｐ３）との間で移動させることを可能にして、ユーザが、ディスプレイ部分（７０２）を図１９Ａに示されるようなハンドルアセンブリ（１１）の頂部と、図１９Ｃに示されるようなハンドルアセンブリの最近位端部との間の任意の場所に位置付けることを可能にする。
【００７６】
可動ディスプレイ（７０１）のいくつかの変形例は、ユーザがディスプレイアーム（７０７）を予め選択された配向にロックすることを可能にするために、ロック機構（７１３）を含むことができる。図２０Ａ及び図２０Ｂに示されるように、ロック機構（７１３）は、ボタンロックに類似し得、それによって、ばね装填ボタン（７１５）が、ハンドルアセンブリ（１１）に面するディスプレイアーム（７０７）の一方又は両方に配置される。一連の相補的なボタン凹部（７１７）は、特定の凹部（７１７）がボタン（７１５）で整列されたときに、ボタン（７１５）の弓形経路に沿って整列され、ボタン（７１５）を弓形経路内で受容するように構成される。整列に応じて、ボタン（７１５）を凹部（７１７）に押し込み、ガイド付き機構（７０５）を特定の凹部（７１７）と関連付けられた特定の傾斜位置に固定する。例えば、ユーザがディスプレイ部分（７０２）を第１の位置（Ｐ１）に固定することを望む場合、ユーザは、ボタン（７１５）が凹部（７１７Ａ）に押し込まれるまでディスプレイ部分（７０２）を回転させる。ユーザがディスプレイ部分（７０２）を第２の位置（Ｐ２）に固定することを望む場合、ユーザは、ボタン（７１５）が凹部（７１７Ｂ）に押し込まれるまでディスプレイ部分（７０２）を回転させる。ユーザがディスプレイ部分（７０２）を第３の位置（Ｐ３）に固定することを望む場合、ユーザは、ボタン（７１５）が凹部（７１７Ｃ）に押し込まれるまでディスプレイ部分（７０２）を回転させる。
【００７７】
図２１に示されるように、ロック機構（７１３）は、磁気ロックに類似し得、それによって、一連の磁石（７１９）が、ディスプレイアーム（７０７）の弓形経路に沿ってハンドルアセンブリ（１１）に配置される。この構成では、ディスプレイアーム（７０７）は、強磁性材料で構成され、したがって、ディスプレイアーム（７０７）が強磁性材料の上を通過するときに磁石（７１９）に引き付けられる。
【００７８】
例えば、ユーザがディスプレイ部分（７０２）を第１の位置（Ｐ１）に固定することを望む場合、ユーザは、ディスプレイアーム（７０７）が磁石（７１９Ａ）によって磁気的に引き付けられて、略静止状態を保持するまでディスプレイ部分（７０２）を回転させる。ユーザがディスプレイ部分（７０２）を第２の位置（Ｐ２）に固定することを望む場合、ユーザは、ディスプレイアーム（７０７）が磁石（７１９Ｂ）によって磁気的に引き付けられて、略静止状態を保持するまでディスプレイ部分（７０２）を回転させる。ユーザがディスプレイ部分（７０２）を第３の位置（Ｐ３）に固定することを望む場合、ユーザは、ディスプレイアーム（７０７）が磁石（７１９Ｃ）によって磁気的に引き付けられて、略静止状態を保持するまでディスプレイ部分（７０２）を回転させる。
【００７９】
ＩＶ．例示的な組み合わせ
以下の実施例は、本明細書の教示を組み合わせるか又は適用することができる、様々な非網羅的な方法に関する。以下の実施例は、本出願における又は本出願の後の出願におけるどの時点でも提示され得る、いずれの特許請求の範囲の適用範囲をも限定することを目的としたものではないと理解されよう。一切の棄権を意図するものではない。以下の実施例は、単なる例示の目的で与えられるものにすぎない。本明細書の様々な教示は、他の多くの方法で配置及び適用が可能であると考えられる。また、いくつかの変形形態では、以下の実施例において言及される特定の特徴を省略してよいことも考えられる。したがって、本発明者ら又は本発明者らの利益の継承者により、後日、そうである旨が明示的に示されない限り、以下に言及される態様又は特徴のいずれも重要なものとして見なされるべきではない。以下に言及される特徴以外の更なる特徴を含む特許請求の範囲が本出願において、又は本出願に関連する後の出願において示される場合、それらの更なる特徴は、特許性に関連するいかなる理由によっても追加されたものとして仮定されるべきではない。
【実施例１】
【００８０】
外科用器具であって、（ａ）遠位端部から近位端部まで延在するハンドルアセンブリと、（ｂ）ハンドルアセンブリに配置されたグラフィカルユーザインターフェースと、（ｃ）一次回路であって、グラフィカルユーザインターフェースを駆動するように動作可能である、一次回路と、（ｄ）第１の電源であって、電力をグラフィカルユーザインターフェースに提供するように構成される、第１の電源と、（ｅ）ハンドルアセンブリに配置され、かつ一次電源の電力レベルを表示するように動作可能な寿命ディスプレイと、（ｆ）二次回路であって、二次回路が、寿命ディスプレイを駆動するように動作可能であり、二次回路が、一次回路とは別体であり、二次回路が、寿命ディスプレイを駆動するために、グラフィカルユーザインターフェースを駆動するために第１の電源によって必要とされる電力量よりも少ない電力を取り出すように構成される、二次回路と、を備える、外科用器具。
【実施例２】
【００８１】
ハンドルアセンブリが、筐体を含み、グラフィカルユーザインターフェースが、筐体内に配置される、実施例１に記載の外科用器具。
【実施例３】
【００８２】
寿命ディスプレイが、筐体内に配置される、実施例２に記載の外科用器具。
【実施例４】
【００８３】
電源筐体を更に備え、ハンドルアセンブリが、電源筐体をその中で選択的に受容するように構成され、第１の電源が、電源筐体内に配置され、寿命ディスプレイが、電源筐体に一体化される、実施例１及び２のいずれか１つ又は２つ以上に記載の外科用器具。
【実施例５】
【００８４】
第２の電源を更に備え、第２の電源が、電力を寿命ディスプレイに提供するように構成され、第２の電源が、電源筐体内に配置される、実施例４に記載の外科用器具。
【実施例６】
【００８５】
寿命ディスプレイが、グラフィカルユーザインターフェースと一体化される、実施例１〜５のいずれか１つ又は２つ以上に記載の外科用器具。
【実施例７】
【００８６】
グラフィカルユーザインターフェースが、寿命ディスプレイを、グラフィカルユーザインターフェース内のある位置にグラフィカルに示すように構成される、実施例１〜６のいずれか１つ又は２つ以上に記載の外科用器具。
【実施例８】
【００８７】
位置が、グラフィカルユーザインターフェースを通してユーザによって構成可能である、実施例７に記載の外科用器具。
【実施例９】
【００８８】
制御回路を更に備え、制御回路が、第１の電源の寿命変数を維持するように構成され、寿命ディスプレイが、第１の電源寿命変数をグラフィカルに示すように構成される、実施例１〜８のいずれか１つ又は２つ以上に記載の外科用器具。
【実施例１０】
【００８９】
ハンドルアセンブリが、第１の電源寿命変数閾値に到達した時点で、アクティブモードから廃棄モードに移行するように構成される、実施例９に記載の外科用器具。
【実施例１１】
【００９０】
第２の電源を更に備え、第２の電源が、電力を寿命ディスプレイに提供するように構成され、第２の電源が、充電式電池であり、第２の電源が、第１の電源によって再充電されるように構成される、実施例１〜１０のいずれか１つ又は２つ以上に記載の外科用器具。
【実施例１２】
【００９１】
可動ディスプレイを更に備え、グラフィカルユーザインターフェース及び寿命ディスプレイの一方又は両方が、可動ディスプレイ内に配置される、実施例１〜１１のいずれか１つ又は２つ以上に記載の外科用器具。
【実施例１３】
【００９２】
可動ディスプレイが、ジョイントを含み、可動ディスプレイが、ジョイントの第１の軸を中心に角度的に移動するように構成される、実施例１２に記載の外科用器具。
【実施例１４】
【００９３】
可動ディスプレイが、ジョイントの第２の軸を中心に角度的に移動するように構成される、実施例１３に記載の外科用器具。
【実施例１５】
【００９４】
第２の電源を更に備え、第２の電源が、電力を寿命ディスプレイに提供するように構成され、第１の電源及び第２の電源の一方又は両方が、電池である、実施例１〜１４のいずれか１つ又は２つ以上に記載の外科用器具。
【実施例１６】
【００９５】
外科用器具であって、（ａ）遠位端部から近位端部まで延在するハンドルアセンブリと、（ｂ）ハンドルアセンブリに配置された第１のディスプレイと、（ｃ）第１の電池であって、電力を第１のディスプレイに提供するように構成された、第１の電池と、（ｄ）ハンドルアセンブリに配置された第２のディスプレイであって、第２のディスプレイが、電池寿命変数を示すように構成され、電池寿命変数が、第１の電池の電力レベルに基づく、第２のディスプレイと、（ｅ）第２のディスプレイ電源であって、第２のディスプレイ電源が、電力を第２のディスプレイに提供するように構成された、第２のディスプレイ電源と、を備える、外科用器具。
【実施例１７】
【００９６】
第２のディスプレイ及び第２のディスプレイ電源と接続された制御回路を更に備える、実施例１６に記載の外科用器具。
【実施例１８】
【００９７】
電池寿命変数が、制御回路によって維持される、実施例１７に記載の外科用器具。
【実施例１９】
【００９８】
第１のディスプレイ及び第２のディスプレイを有するハンドルアセンブリを使用する方法であって、（ａ）第１の電源によって第１のディスプレイに給電することと、（ｂ）第２の電源によって第２のディスプレイに給電することと、（ｃ）寿命数を第１の電源に割り当てることと、（ｄ）寿命数を第２のディスプレイに示すことと、を含む、方法。
【実施例２０】
【００９９】
（ａ）ハンドルアセンブリを発射することであって、発射することが、第１の電源によって給電される、発射することと、（ｂ）ハンドルアセンブリを発射することに応答して、寿命数をデクリメントすることと、（ｃ）寿命数をデクリメントすることに応答して、第２のディスプレイに示される寿命数を更新することと、を更に含む、実施例１９に記載の方法。
【０１００】
Ｖ．その他
本明細書に記載される器具のバージョンのいずれも、上述されるものに加えて、又はそれらの代わりに、様々なその他の特徴を含み得ると理解されたい。単なる例として、本明細書に記載される器具のいずれも、本明細書に参照により組み込まれる様々な参考文献のいずれかにおいて開示される様々な特徴のうちの１つ又は２つ以上も含むことができる。本明細書の教示は、本明細書に引用されるその他の参考文献のいずれかに記載される器具のいずれにも容易に適用され得、そのため、本明細書の教示は、本明細書に引用される参考文献のいずれかの教示と多くの方法で容易に組み合わせることができることも理解されたい。本明細書の教示が組み込まれ得るその他の種類の器具が、当業者に明らかになるであろう。
【０１０１】
上記に加えて、本明細書の教示は、その開示内容が参照により本明細書に組み込まれる、本明細書と同日出願の米国特許出願第［代理人整理番号ＥＮＤ８１５４ＵＳＮＰ１．０６４５３０１］号、名称「Ａｐｐａｒａｔｕｓ  ａｎｄ  Ｍｅｔｈｏｄ  ｔｏ  Ｄｅｔｅｒｍｉｎｅ  Ｅｎｄ  ｏｆ  Ｌｉｆｅ  ｏｆ  Ｂａｔｔｅｒｙ  Ｐｏｗｅｒｅｄ  Ｓｕｒｇｉｃａｌ  Ｉｎｓｔｒｕｍｅｎｔ」の教示と容易に組み合わされ得る。本明細書の教示が米国特許出願第［代理人整理番号ＥＮＤ８１５４ＵＳＮＰ．０６４５３０１］号の教示と組み合わせられ得る様々な好適な方式が、本明細書の教示を考慮することで当業者に明らかになるであろう。
【０１０２】
上記に加えて、本明細書の教示は、その開示内容が参照により本明細書に組み込まれる、本明細書と同日出願の米国特許出願第［代理人整理番号ＥＮＤ８１５６ＵＳＮＰ．０６４５３０５］号、名称「Ｂａｔｔｅｒｙ  Ｐａｃｋ  ｗｉｔｈ  Ｉｎｔｅｇｒａｔｅｄ  Ｃｉｒｃｕｉｔ  Ｐｒｏｖｉｄｉｎｇ  Ｓｌｅｅｐ  Ｍｏｄｅ  ｔｏ  Ｂａｔｔｅｒｙ  Ｐａｃｋ  ａｎｄ  Ａｓｓｏｃｉａｔｅｄ  Ｓｕｒｇｉｃａｌ  Ｉｎｓｔｒｕｍｅｎｔ」の教示と容易に組み合わされ得る。本明細書の教示が米国特許出願第［代理人整理番号ＥＮＤ８１５６ＵＳＮＰ．０６４５３０５］号の教示と組み合わせられ得る様々な好適な方式が、本明細書の教示を考慮することで当業者に明らかになるであろう。
【０１０３】
上記に加えて、本明細書の教示は、その開示内容が参照により本明細書に組み込まれる、本明細書と同日出願の米国特許出願第［代理人整理番号ＥＮＤ８１５７ＵＳＮＰ．０６４５３０８］号、名称「Ｂａｔｔｅｒｙ  Ｐｏｗｅｒｅｄ  Ｓｕｒｇｉｃａｌ  Ｉｎｓｔｒｕｍｅｎｔ  ｗｉｔｈ  Ｄｕａｌ  Ｐｏｗｅｒ  Ｕｔｉｌｉｚａｔｉｏｎ  Ｃｉｒｃｕｉｔｓ  ｆｏｒ  Ｄｕａｌ  Ｍｏｄｅｓ」の教示と容易に組み合わされ得る。本明細書の教示が米国特許出願第［代理人整理番号ＥＮＤ８１５７ＵＳＮＰ．０６４５３０８］号の教示と組み合わせられ得る様々な好適な方式が、本明細書の教示を考慮することで当業者に明らかになるであろう。
【０１０４】
上記に加えて、本明細書の教示は、その開示内容が参照により本明細書に組み込まれる、本明細書と同日出願の米国特許出願第［代理人整理番号ＥＮＤ８１５８ＵＳＮＰ．０６４５３１０］号、名称「Ｐｏｗｅｒｅｄ  Ｓｕｒｇｉｃａｌ  Ｉｎｓｔｒｕｍｅｎｔ  ｗｉｔｈ  Ｌａｔｃｈｉｎｇ  Ｆｅａｔｕｒｅ  Ｐｒｅｖｅｎｔｉｎｇ  Ｒｅｍｏｖａｌ  ｏｆ  Ｂａｔｔｅｒｙ  Ｐａｃｋ」の教示と容易に組み合わされ得る。本明細書の教示が米国特許出願第［代理人整理番号ＥＮＤ８１５８ＵＳＮＰ．０６４５３１０］号の教示と組み合わせられ得る様々な好適な方式が、本明細書の教示を考慮することで当業者に明らかになるであろう。
【０１０５】
上記に加えて、本明細書の教示は、その開示内容が参照により本明細書に組み込まれる、本明細書と同日出願の米国特許出願第［代理人整理番号ＥＮＤ８１５９ＵＳＮＰ．０６４５３２０］号、名称「Ｍｏｄｕｌａｒ  Ｐｏｗｅｒｅｄ  Ｅｌｅｃｔｒｉｃａｌ  Ｃｏｎｎｅｃｔｉｏｎ  ｆｏｒ  Ｓｕｒｇｉｃａｌ  Ｉｎｓｔｒｕｍｅｎｔ  ｗｉｔｈ  Ｆｅａｔｕｒｅｓ  ｔｏ  Ｐｒｅｖｅｎｔ  Ｅｌｅｃｔｒｉｃａｌ  Ｄｉｓｃｈａｒｇｅ」の教示と容易に組み合わされ得る。本明細書の教示が米国特許出願第［代理人整理番号ＥＮＤ８１５９ＵＳＮＰ．０６４５３２０］号の教示と組み合わせられ得る様々な好適な方式が、本明細書の教示を考慮することで当業者に明らかになるであろう。
【０１０６】
上記に加えて、本明細書の教示は、その開示内容が参照により本明細書に組み込まれる、本明細書と同日出願の米国特許出願第［代理人整理番号ＥＮＤ８１６０ＵＳＮＰ．０６４５３２２］号、名称「Ｐｏｗｅｒｅｄ  Ｓｕｒｇｉｃａｌ  Ｉｎｓｔｒｕｍｅｎｔ  ｗｉｔｈ  Ｉｎｄｅｐｅｎｄｅｎｔ  Ｓｅｌｅｃｔｉｖｅｌｙ  Ａｐｐｌｉｅｄ  Ｒｏｔａｒｙ  ａｎｄ  Ｌｉｎｅａｒ  Ｄｒｉｖｅｔｒａｉｎｓ」の教示と容易に組み合わされ得る。本明細書の教示が米国特許出願第［代理人整理番号ＥＮＤ８１６０ＵＳＮＰ．０６４５３２２］号の教示と組み合わせられ得る様々な好適な方式が、本明細書の教示を考慮することで当業者に明らかになるであろう。
【０１０７】
上記に加えて、本明細書の教示は、その開示内容が参照により本明細書に組み込まれる、本明細書と同日出願の米国特許出願第［代理人整理番号ＥＮＤ８１６１ＵＳＮＰ．０６４５３５７］号、名称「Ｐｏｗｅｒｅｄ  Ｃｉｒｃｕｌａｒ  Ｓｔａｐｌｅｒ  ｗｉｔｈ  Ｒｅｃｉｐｒｏｃａｔｉｎｇ  Ｄｒｉｖｅ  Ｍｅｍｂｅｒ  ｔｏ  Ｐｒｏｖｉｄｅ  Ｉｎｄｅｐｅｎｄｅｎｔ  Ｓｔａｐｌｉｎｇ  ａｎｄ  Ｃｕｔｔｉｎｇ  ｏｆ  Ｔｉｓｓｕｅ」の教示と容易に組み合わされ得る。本明細書の教示が米国特許出願第［代理人整理番号ＥＮＤ８１６１ＵＳＮＰ．０６４５３５７］号の教示と組み合わせられ得る様々な好適な方式が、本明細書の教示を考慮することで当業者に明らかになるであろう。
【０１０８】
上記に加えて、本明細書の教示は、その開示内容が参照により本明細書に組み込まれる、本明細書と同日出願の米国特許出願第［代理人整理番号ＥＮＤ８２４３ＵＳＮＰ．０６４５５５８］号、名称「Ｓｕｒｇｉｃａｌ  Ｓｔａｐｌｅｒ  ｗｉｔｈ  Ｉｎｄｅｐｅｎｄｅｎｔｌｙ  Ａｃｔｕａｔｅｄ  Ｄｒｉｖｅｒｓ  ｔｏ  Ｐｒｏｖｉｄｅ  Ｖａｒｙｉｎｇ  Ｓｔａｐｌｅ  Ｈｅｉｇｈｔｓ」の教示と容易に組み合わされ得る。本明細書の教示が米国特許出願第［代理人整理番号ＥＮＤ８２４３ＵＳＮＰ．０６４５５５８］号の教示と組み合わせられ得る様々な好適な方式が、本明細書の教示を考慮することで当業者に明らかになるであろう。
【０１０９】
上記に加えて、本明細書の教示は、その開示内容が参照により本明細書に組み込まれる、本明細書と同日出願の米国特許出願第［代理人整理番号ＥＮＤ８１６２ＵＳＮＰ．０６４５３５９］号、名称「Ｓｕｒｇｉｃａｌ  Ｉｎｓｔｒｕｍｅｎｔ  Ｈａｎｄｌｅ  Ａｓｓｅｍｂｌｙ  ｗｉｔｈ  Ｆｅａｔｕｒｅ  ｔｏ  Ｃｌｅａｎ  Ｅｌｅｃｔｒｉｃａｌ  Ｃｏｎｔａｃｔｓ  ａｔ  Ｍｏｄｕｌａｒ  Ｓｈａｆｔ  Ｉｎｔｅｒｆａｃｅ」の教示と容易に組み合わされ得る。本明細書の教示が米国特許出願第［代理人整理番号ＥＮＤ８１６２ＵＳＮＰ．０６４５３５９］号の教示と組み合わせられ得る様々な好適な方式が、本明細書の教示を考慮することで当業者に明らかになるであろう。
【０１１０】
本明細書で言及する値の任意の範囲はこのような範囲の上下限を含むと読み取られるべきであることも理解されたい。例えば、「約１．０インチ〜約１．５インチ」の範囲として表される範囲は、それらの上限と下限との間の値を含むことに加えて、約１．０インチ及び約１．５インチを含むように読み取られるべきである。
【０１１１】
本明細書に参照により組み込まれると言及されるいかなる特許、公報、又は他の開示内容も、全体的に又は部分的に、組み込まれる内容が現行の定義、見解、又は本開示に記載される他の開示内容とあくまで矛盾しない範囲でのみ本明細書に組み込まれると理解されるべきである。それ自体、また必要な範囲で、本明細書に明瞭に記載される開示内容は、参考により本明細書に組み込まれるあらゆる矛盾する記載に優先するものとする。現行の定義、見解、又は本明細書に記載される他の開示内容と矛盾する任意の内容、又はそれらの部分は本明細書に参考として組み込まれるものとするが、参照内容と現行の開示内容との間に矛盾が生じない範囲においてのみ、参照されるものとする。
【０１１２】
上記のデバイスの変形形態は、医療専門家により行われる従来の医療処置及び手術における用途のみではなく、ロボット支援された医療処置及び手術における用途をも有することができる。単なる例として、本明細書の様々な教示は、ロボット外科用システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムなどに容易に組み込むことができる。同様に、本明細書の様々な教示は、その開示が本明細書に参照により組み込まれる、米国特許第６，７８３，５２４号、名称「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」（２００４年８月３１日公開）の様々な教示と容易に組み合わされ得ることを、当業者であれば理解するであろう。
【０１１３】
上記の変形形態は、１回の使用後に廃棄されるように設計されてもよいし、又はそれらは複数回使用されるように設計されることもできる。変形形態は、いずれか又は両方の場合においても、少なくとも１回の使用後に再利用のために再調整され得る。再調整は、デバイスの分解工程、それに続く特定の部品の洗浄又は交換工程、及びその後の再組み立て工程の、任意の組み合わせを含み得る。特に、デバイスのいくつかの変形形態は分解することができ、また、デバイスの任意の数の特定の部分若しくは部品を、任意の組み合わせで選択的に交換又は取り外してもよい。特定部分の洗浄及び／又は交換の際、デバイスのいくつかの変形形態は、再調整用の施設において、又は手術の直前に操作者によって、のいずれかで、その後の使用のために再組み立てされてもよい。当業者であれば、デバイスの再調整において、分解、洗浄／交換、及び再組み立てのための様々な技術を利用することができることを理解するであろう。こうした技術の使用、及び結果として得られる再調整されたデバイスは、全て本出願の範囲内にある。
【０１１４】
単なる例として、本明細書に記載される変形形態は、手術の前及び／又は後に滅菌されてもよい。１つの滅菌技術では、デバイスをプラスチック製又はＴＹＶＥＫ製のバックなど、閉鎖及び封止された容器に入れる。次いで、容器及びデバイスを、γ線、Ｘ線、又は高エネルギー電子線などの、容器を透過し得る放射線場に置いてもよい。放射線は、デバイス上及び容器内の細菌を死滅させ得る。次に、滅菌されたデバイスを、後の使用のために、滅菌容器内に保管してもよい。β線若しくはγ線、エチレンオキシド、又は水蒸気が挙げられるがこれらに限定されない、当該技術分野で既知の任意の他の技術を用いて、デバイスを滅菌してもよい。
【０１１５】
以上、本発明の様々な実施形態を示し、記載したが、当業者による適切な改変により、本発明の範囲から逸脱することなく、本明細書に記載の方法及びシステムの更なる適合化を実現することができる。そのような可能な改変のうちのいくつかについて述べたが、他の改変も当業者には明らかとなるであろう。例えば、上記の実施例、実施形態、形状、材料、寸法、比率、工程などは例示的なものであって、必須のものではない。したがって、本発明の範囲は、以下の特許請求の範囲の観点から考慮されるべきものであり、本明細書及び図面において図示され、説明された構造及び動作の細部に限定されないものとして、理解されたい。
【０１１６】
〔実施の態様〕
（１）  外科用器具であって、
（ａ）遠位端部から近位端部まで延在するハンドルアセンブリと、
（ｂ）前記ハンドルアセンブリ上に配置されたグラフィカルユーザインターフェースと、
（ｃ）前記グラフィカルユーザインターフェースを駆動するように動作可能である一次回路と、
（ｄ）電力を前記グラフィカルユーザインターフェースに提供するように構成された第１の電源と、
（ｅ）前記ハンドルアセンブリ上に配置され、かつ前記一次電源の電力レベルを表示するように動作可能な寿命ディスプレイと、
（ｆ）前記寿命ディスプレイを駆動するように動作可能な二次回路であって、前記二次回路は、前記一次回路とは別体であり、前記二次回路は、前記寿命ディスプレイを駆動するために、前記グラフィカルユーザインターフェースを駆動するために前記第１の電源によって必要とされる電力量よりも少ない電力を取り出すように構成されている、二次回路と、を備える、外科用器具。
（２）  前記ハンドルアセンブリは、筐体を含み、前記グラフィカルユーザインターフェースは、前記筐体内に配置されている、実施態様１に記載の外科用器具。
（３）  前記寿命ディスプレイは、前記筐体内に配置されている、実施態様２に記載の外科用器具。
（４）  電源筐体を更に備え、前記ハンドルアセンブリは、前記電源筐体をその中で選択的に受容するように構成されており、前記第１の電源は、前記電源筐体内に配置されており、前記寿命ディスプレイは、前記電源筐体に一体化されている、実施態様２に記載の外科用器具。
（５）  第２の電源を更に備え、前記第２の電源は、電力を前記寿命ディスプレイに提供するように構成されており、前記第２の電源は、前記電源筐体内に配置されている、実施態様４に記載の外科用器具。
【０１１７】
（６）  前記寿命ディスプレイは、前記グラフィカルユーザインターフェースと一体化されている、実施態様１に記載の外科用器具。
（７）  前記グラフィカルユーザインターフェースは、前記寿命ディスプレイを、前記グラフィカルユーザインターフェース内のある位置にグラフィカルに示すように構成されている、実施態様１に記載の外科用器具。
（８）  前記位置は、前記グラフィカルユーザインターフェースを通してユーザによって構成可能である、実施態様７に記載の外科用器具。
（９）  制御回路を更に備え、前記制御回路は、第１の電源の寿命変数を維持するように構成されており、前記寿命ディスプレイは、前記第１の電源の寿命変数をグラフィカルに示すように構成されている、実施態様１に記載の外科用器具。
（１０）  前記ハンドルアセンブリは、前記第１の電源の寿命変数が閾値に到達した時点で、アクティブモードから廃棄モードに移行するように構成されている、実施態様９に記載の外科用器具。
【０１１８】
（１１）  第２の電源を更に備え、前記第２の電源は、電力を前記寿命ディスプレイに提供するように構成されており、前記第２の電源は、充電式電池であり、前記第２の電源は、前記第１の電源によって再充電されるように構成されている、実施態様１に記載の外科用器具。
（１２）  可動ディスプレイを更に備え、前記グラフィカルユーザインターフェース及び前記寿命ディスプレイの一方又は両方は、前記可動ディスプレイ上に配置されている、実施態様１に記載の外科用器具。
（１３）  前記可動ディスプレイは、ジョイントを含み、前記可動ディスプレイは、前記ジョイントの第１の軸を中心に角度的に移動するように構成されている、実施態様１２に記載の外科用器具。
（１４）  前記可動ディスプレイは、前記ジョイントの第２の軸を中心に角度的に移動するように構成されている、実施態様１３に記載の外科用器具。
（１５）  第２の電源を更に備え、前記第２の電源は、電力を前記寿命ディスプレイに提供するように構成されており、前記第１の電源及び前記第２の電源の一方又は両方は、電池である、実施態様１に記載の外科用器具。
【０１１９】
（１６）  外科用器具であって、
（ａ）遠位端部から近位端部まで延在するハンドルアセンブリと、
（ｂ）前記ハンドルアセンブリ上に配置された第１のディスプレイと、
（ｃ）電力を前記第１のディスプレイに提供するように構成された第１の電池と、
（ｄ）前記ハンドルアセンブリ上に配置された第２のディスプレイであって、前記第２のディスプレイは、電池寿命変数を示すように構成されており、前記電池寿命変数は、前記第１の電池の電力レベルに基づく、第２のディスプレイと、
（ｅ）電力を前記第２のディスプレイに提供するように構成された第２のディスプレイ電源と、を備える、外科用器具。
（１７）  前記第２のディスプレイ及び第２のディスプレイ電源と接続された制御回路を更に備える、実施態様１６に記載の外科用器具。
（１８）  前記電池寿命変数は、前記制御回路によって維持される、実施態様１７に記載の外科用器具。
（１９）  第１のディスプレイ及び第２のディスプレイを有するハンドルアセンブリを使用する方法であって、
（ａ）第１の電源によって前記第１のディスプレイに給電することと、
（ｂ）第２の電源によって前記第２のディスプレイに給電することと、
（ｃ）寿命数（number of lives）を前記第１の電源に割り当てることと、
（ｄ）前記寿命数を前記第２のディスプレイ上に示すことと、を含む、方法。
（２０）  （ａ）前記ハンドルアセンブリを発射することであって、前記発射することは、前記第１の電源によって給電される、発射することと、
（ｂ）前記ハンドルアセンブリを発射することに応答して、前記寿命数を減分することと、
（ｃ）前記寿命数を減分することに応答して、前記第２のディスプレイ上に示される前記寿命数を更新することと、を更に含む、実施態様１９に記載の方法。
【図１】
2020525130.tif 000003
【図２】
2020525130.tif 000004
【図３】
2020525130.tif 000005
【図４Ａ】
2020525130.tif 000006
【図４Ｂ】
2020525130.tif 000007
【図４Ｃ】
2020525130.tif 000008
【図５】
2020525130.tif 000009
【図６】
2020525130.tif 000010
【図７】
2020525130.tif 000011
【図８】
2020525130.tif 000012
【図９】
2020525130.tif 000013
【図１０】
2020525130.tif 000014
【図１１】
2020525130.tif 000015
【図１２】
2020525130.tif 000016
【図１３Ａ】
2020525130.tif 000017
【図１３Ｂ】
2020525130.tif 000018
【図１３Ｃ】
2020525130.tif 000019
【図１４】
2020525130.tif 000020
【図１５Ａ】
2020525130.tif 000021
【図１５Ｂ】
2020525130.tif 000022
【図１５Ｃ】
2020525130.tif 000023
【図１５Ｄ】
2020525130.tif 000024
【図１５Ｅ】
2020525130.tif 000025
【図１５Ｆ】
2020525130.tif 000026
【図１５Ｇ】
2020525130.tif 000027
【図１６Ａ】
2020525130.tif 000028
【図１６Ｂ】
2020525130.tif 000029
【図１７Ａ】
2020525130.tif 000030
【図１７Ｂ】
2020525130.tif 000031
【図１８】
2020525130.tif 000032
【図１９Ａ】
2020525130.tif 000033
【図１９Ｂ】
2020525130.tif 000034
【図１９Ｃ】
2020525130.tif 000035
【図２０Ａ】
2020525130.tif 000036
【図２０Ｂ】
2020525130.tif 000037
【図２１】
2020525130.tif 000038
【国際調査報告】
2020525130.tif 000039
2020525130.tif 000040
2020525130.tif 000041
2020525130.tif 000042
2020525130.tif 000043
2020525130.tif 000044
2020525130.tif 000045